(57)【特許請求の範囲】
【請求項１】
印刷済のウェブを重ねると共に断裁してから折り畳む折機であって、
周面にウェブを予め設定された所定枚数だけ重ねる巻取胴と、
該巻取胴に巻き取られたウェブを所定の長さのシートに断裁する断裁手段と、
該断裁手段で断裁されて所定枚数だけ重ねられた複数のシートを折り畳む折畳手段と、
を備え、
前記断裁手段は、ウェブを所定の長さのシートに断裁する鋸胴を有し、前記折畳手段は、前記鋸胴で断裁された複数のシートを折り畳む折胴を有し、前記巻取胴は、前記折胴の外周部にウェブまたはシートを所定枚数だけ重ねる重ね部が設けられて構成され、
前記折胴に、ウェブの先端部を保持可能な保持部と、前記鋸胴により裁断されて前記重ね部で重ねられたシートを前記折胴の周面から突出可能な折ブレードとを設けると共に、前記重ね部に重ねられたシートの枚数に応じて前記保持部及び前記折ブレードを作動制御可能な制御部を設け、
前記重ね部は、搬送されたウェブを前記折胴の周面に所定枚数だけ重ね、前記鋸胴は、重ねられたウェブを裁断し、
前記鋸胴は、ウェブを所定の長さのシートに断裁する鋸刃を有し、前記重ね部に重ねられたウェブの枚数を検出する重ね枚数検出部を設け、前記制御部は、前記重ね部に重ねられたウェブの枚数が所定枚数に到達したら、前記鋸刃によりウェブを所定の長さのシートに断裁した後、前記保持部による保持された複数のシートの保持を解除すると同時に、前記折ブレードを突出してこの複数のシートを前記折胴の周面から引き剥がすことを特徴とする折機。
【請求項２】
前記折畳手段は、前記折ブレードにより前記折胴の周面から突出した複数のシートの中間部を保持して横折する一対の折込ローラまたは咥胴を有することを特徴とする請求項１に記載の折機。
【請求項３】
前記折畳手段は、前記鋸胴で断裁された複数のシートを横折りする前記折胴と、該折胴により横折りされた束状のシートを縦折りするチョッパ折装置とを有することを特徴とする請求項１に記載の折機。
【請求項４】
前記断裁手段は、ウェブを所定の長さのシートに断裁する鋸胴を有し、前記巻取胴は、外周部にウェブまたはシートを所定枚数だけ重ねる重ね部が設けられて構成され、前記折畳手段は、前記鋸胴で断裁されて前記巻取胴から排出された複数のシートを折り畳むチョッパ折装置を有することを特徴とする請求項１に記載の折機。
【請求項５】
前記巻取胴にウェブの先端部を保持可能な保持部を設けると共に、前記重ね部に重ねられたシートの枚数に応じて前記保持部を作動制御可能な制御部を設けることを特徴とする請求項４に記載の折機。
【請求項６】
前記重ね部に重ねられたウェブまたはシートの枚数を検出する重ね枚数検出部を設け、前記制御部は、前記重ね部に重ねられたウェブまたはシートの枚数が所定枚数に到達したら、前記保持部により保持された複数のシートの保持を解除することを特徴とする請求項５に記載の折機。
【請求項７】
印刷済のウェブを重ねると共に断裁してから折り畳む折機であって、
周面にウェブを予め設定された所定枚数だけ重ねる巻取胴と、
該巻取胴に巻き取られたウェブを所定の長さのシートに断裁する断裁手段と、
該断裁手段で断裁されて所定枚数だけ重ねられた複数のシートを折り畳む折畳手段と、
を備え、
前記断裁手段は、ウェブを所定の長さのシートに断裁する鋸胴を有し、前記巻取胴は、外周部にウェブまたはシートを所定枚数だけ重ねる重ね部が設けられて構成され、前記折畳手段は、前記鋸胴で断裁されて前記巻取胴から排出された複数のシートを折り畳むチョッパ折装置を有し、
前記巻取胴にウェブの先端部を保持可能な保持部を設けると共に、前記重ね部に重ねられたシートの枚数に応じて前記保持部を作動制御可能な制御部を設け、
前記重ね部に重ねられたウェブまたはシートの枚数を検出する重ね枚数検出部を設け、前記制御部は、前記重ね部に重ねられたウェブまたはシートの枚数が所定枚数に到達したら、前記保持部により保持された複数のシートの保持を解除し、
前記鋸胴は、ウェブを所定の長さのシートに断裁する鋸刃を有し、前記制御部は、前記重ね部に重ねられたウェブの枚数が所定枚数に到達したら、前記鋸刃によりウェブを所定の長さのシートに断裁した後、前記保持部による保持された複数のシートの保持を解除することを特徴とする折機。
【請求項８】
前記鋸胴と前記折胴は、同期回転可能であり、前記鋸胴は、前記鋸刃がウェブを断裁可能な断裁位置と、前記鋸刃がウェブから離間した待機位置とに移動可能であり、前記制御部は、前記重ね部に重ねられたウェブの枚数が所定枚数に到達したら、前記鋸胴を待機位置から断裁位置に移動することを特徴とする請求項１または７に記載の折機。
【請求項９】
前記鋸胴と前記巻取胴は、同期回転可能であり、前記鋸胴は、前記鋸刃がウェブを断裁可能な断裁位置と、前記鋸刃がウェブから離間した待機位置とに移動可能であり、前記制御部は、前記重ね部に重ねられたウェブの枚数が所定枚数に到達したら、前記鋸胴を待機位置から断裁位置に移動することを特徴とする請求項７に記載の折機。
【請求項１０】
搬送されるウェブに対して連続して異なる画像を印刷し、
印刷が施されたウェブを巻取胴に供給し、
前記巻取胴が回転し続けることでこのウェブを前記巻取胴の周面に繰り返し重ねていき、
前記巻取胴の周面に重ねられたウェブが予め設定された所定枚数に到達したら、
このウェブを画像ごとに断裁すると共に折り畳んで折帖を形成する、
ことを特徴とする印刷方法。
【請求項１１】
ウェブが画像ごとに断裁されて形成された束状のシートを横折りしてから縦折りして折帖を形成することを特徴とする請求項１０に記載の印刷方法。
【請求項１２】
巻取紙からウェブを供給する給紙部と、
該給紙部から繰り出されたウェブに連続して異なる画像を印刷する印刷ユニットと、
該印刷ユニットにより印刷が施されたウェブを重ねると共に断裁してから折り畳むことで折帖を形成する折機と、を備え、
前記折機は、前記請求項１から９のいずれか一つの折機を有することを特徴とする印刷機。
【発明の詳細な説明】
【技術分野】
【０００１】
本発明は、印刷が施されたウェブを断裁すると共に重ねてから折り畳む折機に関し、また、バリアブル印刷機を用いて印刷されたウェブをこの折機により折り畳んで新聞などを形成する印刷方法及び印刷機に関するものである。
【背景技術】
【０００２】
例えば、一般的な新聞用オフセット輪転印刷機は、複数の給紙部と、複数の印刷ユニットと、ターンバー装置と、折機とから構成されており、各給紙部から印刷ユニットにウェブが供給されると、各ウェブに対して印刷が施され、ターンバー装置で多数のウェブの走行ルートが変更されてから所定の順番に重ね合わされた後、折機にて、ウェブが縦折りされてから所定の長さで横裁断され、横折されることで折帖が形成され、排紙される。
【０００３】
このような新聞用オフセット輪転印刷機における折機には、ロータリ（ブレード）フォルダ式とジョウフォルダ式の２種類がある。ロータリフォルダ式の折機は、縦折りを行う三角板の下方に鋸胴と折胴が対向して配設されると共に、折胴の下方に一対の折込ローラが設けられ、この折込ローラの下方に折帖を排紙する羽根車が設けられて構成されている。この鋸胴は、外周部に鋸刃が装着される一方、折胴は、外周部にこの鋸刃を受け止める鋸刃受が装着されている。また、折胴は、外周部に針装置と折ブレードが周方向に所定の間隔で設けられている。
【０００４】
従って、所定の順番に重ね合わせられた複数のウェブは、三角板により縦折りが施された後、各種ローラにより折胴に送られると、まず、所定の位置で針装置によりその先端部が保持され、この状態で折胴が所定角度回転すると、次に、鋸刃と鋸刃受が一致してこの鋸刃によりウェブがシート状に裁断されると共に、針装置によるウェブの保持が解除される。続いて、折胴の折ブレードが回動して先端部が折胴の周面から突出し、シートを折胴の周面から引き剥がす。一方、一対の折込ローラが折胴の周面から引き剥がされたシートを挟持することで折帖が形成され、この折帖は羽根車により順次受取られて排紙される。
【０００５】
一方、ジョウフォルダ式の折機は、縦折りを行う三角板の下方に鋸胴と折胴と咥胴がそれぞれ対向して配設されると共に、咥胴の下方に折帖を排紙する羽根車が設けられて構成されている。この鋸胴は、外周部に鋸刃が装着される一方、折胴は、外周部にこの鋸刃を受け止める鋸刃受が装着されている。また、折胴は、外周部に針装置と折ブレードが周方向に所定の間隔で設けられている。更に、咥胴は、外周部に咥え装置が周方向に所定の間隔で設けられている。
【０００６】
従って、所定の順番に重ね合わせられた複数のウェブは、三角板により縦折りが施された後、各種ローラにより折胴に送られると、まず、所定の位置で針装置によりその先端部が保持され、この状態で折胴が所定角度回転すると、次に、鋸刃と鋸刃受が一致してこの鋸刃によりウェブがシート状に裁断されると共に、針装置によるウェブの保持が解除される。続いて、折胴の折ブレードが前進して先端部が折胴の周面から突出し、ウェブを折胴の周面から引き剥がす。一方、咥胴の咥え装置が折胴の周面から引き剥がされたシートを挟持することで折帖が形成され、この折帖は羽根車により順次受取られて排紙される。
【０００７】
このような新聞用オフセット輪転印刷機における折機は、例えば、下記特許文献１、２に記載されたものがある。
【先行技術文献】
【特許文献】
【０００８】
【特許文献１】特開平０８−２３０１４８号公報
【特許文献２】特許第３６９７６９４号公報
【発明の概要】
【発明が解決しようとする課題】
【０００９】
ところで、配達する部数が多い全国紙などの新聞は、上述した新聞用オフセット輪転印刷機により短時間に多数印刷することで、印刷コストの低減、並びに、印刷の効率化を可能とすることができる。一方、配達する部数が少ない地方などの新聞は、新聞用オフセット輪転印刷機により短時間に印刷することができるものの、刷版の製造コストを減価償却することが困難となり、印刷コストが増大してしまう。そこで、新聞の印刷に、例えば、インクジェットプリンタなどの印刷機を使用することが考えられる。しかし、インクジェットプリンタにより印刷されたウェブを、断裁して重ねてから折り畳んで新聞を形成する作業は、上述した従来の折機では困難である。
【００１０】
例えば、インクジェットプリンタにより印刷されたウェブから新聞を作成する場合、まず、ロールから繰り出されたウェブに対して印刷を行い、この印刷済のウェブを再びロール状に巻き取る。次に、このロールから印刷済のウェブを繰り出して所定の長さに断裁し、この断裁されたシートを所定の順番に重ね、この所定枚数重ねられたシートの束を折り畳んで新聞を作成することとなる。そのため、新聞の作成作業を連続的に行うことができず、作業性が低下して印刷コストが増大してしまうという問題がある。
【００１１】
本発明は上述した課題を解決するものであり、連続して異なる画像が印刷されたウェブを断裁すると共に重ねてから折り畳み可能とすることで印刷コストの低減を図る折機及び印刷方法及び印刷機を提供することを目的とする。
【課題を解決するための手段】
【００１２】
上記の目的を達成するための本発明の折機は、印刷済のウェブを重ねると共に断裁してから折り畳む折機であって、周面にウェブを予め設定された所定枚数だけ重ねる巻取胴と、該巻取胴に巻き取られたウェブを所定の長さのシートに断裁する断裁手段と、該断裁手段で断裁されて所定枚数だけ重ねられた複数のシートを折り畳む折畳手段と、を備え、前記断裁手段は、ウェブを所定の長さのシートに断裁する鋸胴を有し、前記折畳手段は、前記鋸胴で断裁された複数のシートを折り畳む折胴を有し、前記巻取胴は、前記折胴の外周部にウェブまたはシートを所定枚数だけ重ねる重ね部が設けられて構成され、前記折胴に、ウェブの先端部を保持可能な保持部と、前記鋸胴により裁断されて前記重ね部で重ねられたシートを前記折胴の周面から突出可能な折ブレードとを設けると共に、前記重ね部に重ねられたシートの枚数に応じて前記保持部及び前記折ブレードを作動制御可能な制御部を設け、前記重ね部は、搬送されたウェブを前記折胴の周面に所定枚数だけ重ね、前記鋸胴は、重ねられたウェブを裁断し、前記鋸胴は、ウェブを所定の長さのシートに断裁する鋸刃を有し、前記重ね部に重ねられたウェブの枚数を検出する重ね枚数検出部を設け、前記制御部は、前記重ね部に重ねられたウェブの枚数が所定枚数に到達したら、前記鋸刃によりウェブを所定の長さのシートに断裁した後、前記保持部による保持された複数のシートの保持を解除すると同時に、前記折ブレードを突出してこの複数のシートを前記折胴の周面から引き剥がすことを特徴としている。
【００１３】
本発明の折機では、前記折畳手段は、前記折ブレードにより前記折胴の周面から突出した複数のシートの中間部を保持して横折する一対の折込ローラまたは咥胴を有することを特徴としている。
【００１４】
本発明の折機では、前記折畳手段は、前記鋸胴で断裁された複数のシートを横折りする前記折胴と、該折胴により横折りされた束状のシートを縦折りするチョッパ折装置とを有することを特徴としている。
【００１５】
本発明の折機では、前記断裁手段は、ウェブを所定の長さのシートに断裁する鋸胴を有し、前記巻取胴は、外周部にウェブまたはシートを所定枚数だけ重ねる重ね部が設けられて構成され、前記折畳手段は、前記鋸胴で断裁されて前記巻取胴から排出された複数のシートを折り畳むチョッパ折装置を有することを特徴としている。
【００１６】
本発明の折機では、前記巻取胴にウェブの先端部を保持可能な保持部を設けると共に、前記重ね部に重ねられたシートの枚数に応じて前記保持部を作動制御可能な制御部を設けることを特徴としている。
【００１７】
本発明の折機では、前記重ね部に重ねられたウェブまたはシートの枚数を検出する重ね枚数検出部を設け、前記制御部は、前記重ね部に重ねられたウェブまたはシートの枚数が所定枚数に到達したら、前記保持部により保持された複数のシートの保持を解除することを特徴としている。
【００１８】
本発明の折機は、印刷済のウェブを重ねると共に断裁してから折り畳む折機であって、周面にウェブを予め設定された所定枚数だけ重ねる巻取胴と、該巻取胴に巻き取られたウェブを所定の長さのシートに断裁する断裁手段と、該断裁手段で断裁されて所定枚数だけ重ねられた複数のシートを折り畳む折畳手段と、を備え、前記断裁手段は、ウェブを所定の長さのシートに断裁する鋸胴を有し、前記巻取胴は、外周部にウェブまたはシートを所定枚数だけ重ねる重ね部が設けられて構成され、前記折畳手段は、前記鋸胴で断裁されて前記巻取胴から排出された複数のシートを折り畳むチョッパ折装置を有し、前記巻取胴にウェブの先端部を保持可能な保持部を設けると共に、前記重ね部に重ねられたシートの枚数に応じて前記保持部を作動制御可能な制御部を設け、前記重ね部に重ねられたウェブまたはシートの枚数を検出する重ね枚数検出部を設け、前記制御部は、前記重ね部に重ねられたウェブまたはシートの枚数が所定枚数に到達したら、前記保持部により保持された複数のシートの保持を解除し、前記鋸胴は、ウェブを所定の長さのシートに断裁する鋸刃を有し、前記制御部は、前記重ね部に重ねられたウェブの枚数が所定枚数に到達したら、前記鋸刃によりウェブを所定の長さのシートに断裁した後、前記保持部による保持された複数のシートの保持を解除することを特徴とするものである。
【００１９】
本発明の折機では、前記鋸胴と前記折胴は、同期回転可能であり、前記鋸胴は、前記鋸刃がウェブを断裁可能な断裁位置と、前記鋸刃がウェブから離間した待機位置とに移動可能であり、前記制御部は、前記重ね部に重ねられたウェブの枚数が所定枚数に到達したら、前記鋸胴を待機位置から断裁位置に移動することを特徴としている。
【００２０】
本発明の折機では、前記鋸胴と前記巻取胴は、同期回転可能であり、前記鋸胴は、前記鋸刃がウェブを断裁可能な断裁位置と、前記鋸刃がウェブから離間した待機位置とに移動可能であり、前記制御部は、前記重ね部に重ねられたウェブの枚数が所定枚数に到達したら、前記鋸胴を待機位置から断裁位置に移動することを特徴としている。
【００２１】
また、本発明の印刷方法は、搬送されるウェブに対して連続して異なる画像を印刷し、印刷が施されたウェブを巻取胴に供給し、このウェブを前記巻取胴の周面に重ね、前記巻取胴の周面に重ねられたウェブが予め設定された所定枚数に到達したら、このウェブを画像ごとに断裁すると共に折り畳んで折帖を形成する、ことを特徴とするものである。
【００２２】
本発明の印刷方法では、ウェブが画像ごとに断裁されて形成された束状のシートを横折りしてから縦折りして折帖を形成することを特徴としている。
【００２３】
また、本発明の印刷機は、巻取紙からウェブを供給する給紙部と、該給紙部から繰り出されたウェブに連続して異なる画像を印刷する印刷ユニットと、該印刷ユニットにより印刷が施されたウェブを重ねると共に断裁してから折り畳むことで折帖を形成する折機と、を備え、前記折機は、前記いずれか一つの折機を有することを特徴とするものである。
【発明の効果】
【００２４】
本発明の折機によれば、周面にウェブを予め設定された所定枚数だけ重ねる巻取胴と、この巻取胴に巻き取られたウェブを所定の長さのシートに断裁する断裁手段と、この断裁手段で断裁されて所定枚数だけ重ねられた複数のシートを折り畳む折畳手段とを設けている。従って、ウェブまたはシートは、巻取胴の周面に所定枚数だけ重ねられ、その後、所定枚数だけ重ねられたシートが折畳手段により折り畳まれて折帖が形成されることとなり、連続して異なる画像が印刷されたウェブを重ねると共に断裁して折り畳み可能とすることで、作業性を向上して印刷コストの低減を図ることができる。
【００２５】
本発明の折機によれば、断裁手段として、ウェブを所定の長さのシートに断裁する鋸胴を設け、折畳手段として、鋸胴で断裁された複数のシートを折り畳む折胴を設け、巻取胴として、折胴の外周部にウェブまたはシートを所定枚数だけ重ねる重ね部を設けて構成するので、ウェブが鋸胴及び折胴に搬送されるとき、鋸胴で断裁されたシートまたはそのままのウェブが、重ね部により折胴の周面に所定枚数だけ重ねられ、その後、重ねられたシート、または、重ねられたウェブが鋸胴で断裁されて形成されたシートが、折胴で折り畳まれることとなり、連続して異なる画像が印刷されたウェブを断裁すると共に重ねてから折り畳み可能とすることで、印刷コストの低減を図ることができる。
【００２６】
本発明の折機によれば、折胴に、ウェブの先端部を保持可能な保持部と、鋸胴により裁断されて重ね部で重ねられたシートを折胴の周面から突出可能な折ブレードを設けると共に、重ね部に重ねられたシートの枚数に応じて保持部及び折ブレードを作動制御可能な制御部を設けるので、制御部により保持部と折ブレードを独立して作動制御することで、重ね部にシートを所定枚数だけ重ねることができる。
【００２７】
本発明の折機によれば、重ね部は、搬送されたウェブを折胴の周面に所定枚数だけ重ね、その後、鋸胴は、重ねられたウェブを裁断するので、折胴にウェブを所定枚数だけ重ねてからシートに裁断することで、折胴の周面でウェブを高精度に断裁することができる。
【００２８】
本発明の折機によれば、鋸胴にウェブを所定の長さのシートに断裁する鋸刃を設け、重ね部に重ねられたシートの枚数を検出する重ね枚数検出部を設け、制御部は、重ね部に重ねられたシートの枚数が所定枚数に到達したら、鋸刃によりウェブを所定の長さのシートに断裁した後、保持部による保持された複数のシートの保持を解除すると同時に、折ブレードを突出してこのシートを折胴の周面から引き剥がすので、所定枚数重ねられたシートを高精度に折り畳むことができる。
【００２９】
本発明の折機によれば、折畳手段として、折ブレードにより折胴の周面から突出した複数のシートの中間部を保持して横折する一対の折込ローラまたは咥胴を設けるので、折込ローラまたは咥胴により所定枚数重ねられたシートを高精度に折り畳むことができる。
【００３０】
本発明の折機によれば、折畳手段として、鋸胴で断裁された複数のシートを横折りする折胴と、折胴により横折りされた束状のシートを縦折りするチョッパ折装置とを設けるので、折胴とチョッパ折装置により所定枚数重ねられたシートを高精度に横折及び縦折することができる。
【００３１】
本発明の折機によれば、断裁手段として、ウェブを所定の長さのシートに断裁する鋸胴を設け、巻取胴を、外周部にウェブまたはシートを所定枚数だけ重ねる重ね部を設けて構成し、折畳手段として、鋸胴で断裁されて巻取胴から排出された複数のシートを折り畳むチョッパ折装置を設けるので、ウェブが鋸胴及び巻取胴に搬送されるとき、鋸胴で断裁されたシートまたはそのままのウェブが、重ね部により折胴の周面に所定枚数だけ重ねられ、その後、重ねられたシート、または、重ねられたウェブが鋸胴で断裁されて形成されたシートが、チョッパ折装置で折り畳まれることとなり、連続して異なる画像が印刷されたウェブを断裁すると共に重ねてから折り畳み可能とすることで、印刷コストの低減を図ることができる。
【００３２】
本発明の折機によれば、巻取胴にウェブの先端部を保持可能な保持部を設けると共に、重ね部に重ねられたシートの枚数に応じて保持部を作動制御可能な制御部を設けるので、制御部により保持部を独立して作動制御することで、重ね部にシートを所定枚数だけ重ねることができる。
【００３３】
本発明の折機によれば、重ね部に重ねられたウェブまたはシートの枚数を検出する重ね枚数検出部を設け、制御部は、重ね部に重ねられたウェブまたはシートの枚数が所定枚数に到達したら、保持部により保持された複数のシートの保持を解除するので、必要に応じて、巻取胴の周面に所望の枚数だけシートを重ねることができ、作成する新聞の形態に応じて重ねるシートの枚数を変更することができ、汎用性を向上することができる。
【００３４】
本発明の折機によれば、鋸胴として、ウェブを所定の長さのシートに断裁する鋸刃を設け、制御部は、重ね部に重ねられたウェブの枚数が所定枚数に到達したら、鋸刃によりウェブを所定の長さのシートに断裁した後、保持部による保持された複数のシートの保持を解除するので、所定枚数重ねられたシートを高精度に折り畳むことができる。
【００３５】
本発明の折機によれば、鋸胴と折胴を同期回転可能とし、鋸胴を、鋸刃がウェブを断裁可能な断裁位置と、鋸刃がウェブから離間した待機位置とに移動可能とし、制御部は、重ね部に重ねられたウェブの枚数が所定枚数に到達したら、鋸胴を待機位置から断裁位置に移動するので、鋸胴を断裁位置と待機位置とに移動可能とすることで、鋸刃の構成を簡素化することができ、低コスト化を可能とすることができる。
【００３６】
本発明の折機によれば、鋸胴と巻取胴を同期回転可能とし、鋸胴を、鋸刃がウェブを断裁可能な断裁位置と、鋸刃がウェブから離間した待機位置とに移動可能とし、制御部は、重ね部に重ねられたウェブの枚数が所定枚数に到達したら、鋸胴を待機位置から断裁位置に移動するので、鋸胴を断裁位置と待機位置とに移動可能とすることで、鋸刃の構成を簡素化することができ、低コスト化を可能とすることができる。
【００３７】
また、本発明の印刷方法によれば、ウェブに対して連続して異なる画像を印刷し、印刷が施されたウェブを巻取胴に供給し、このウェブを巻取胴の周面に重ねていき、巻取胴の周面に重ねられたウェブが予め設定された所定枚数に到達したら、このウェブを画像ごとに断裁すると共に折り畳んで折帖を形成するようにしている。従って、連続して異なる画像が印刷されたウェブを断裁すると共に重ねてから折り畳み可能とすることで、印刷コストの低減を図ることができる。
【００３８】
本発明の印刷方法によれば、ウェブが画像ごとに断裁されて形成された束状のシートを横折りしてから縦折りして折帖を形成するので、所定のタイプの新聞を高精度に作成することができる。
【００３９】
また、本発明の印刷機によれば、巻取紙からウェブを供給する給紙部と、ウェブに連続して異なる画像を印刷する印刷ユニットと、ウェブを重ねると共に断裁してから折り畳むことで折帖を形成する折機とを設けるので、連続して異なる画像が印刷されたウェブを断裁すると共に重ねてから折り畳み可能とすることで印刷コストの低減を図ることができる。
【図面の簡単な説明】
【００４０】
【図１】図１は、本発明の実施例１に係る折機を表す概略構成図である。
【図２】図２は、実施例１の折機の要部を表す概略図である。
【図３−１】図３−１は、実施例１の折機の作動を表す概略図である。
【図３−２】図３−２は、実施例１の折機の作動を表す概略図である。
【図３−３】図３−３は、実施例１の折機の作動を表す概略図である。
【図４】図４は、実施例１の折機が適用された印刷機を表す概略構成図である。
【図５】図５は、本発明の実施例２に係る折機の要部を表す概略構成図である。
【図６−１】図６−１は、実施例２の折機の作動を表す概略図である。
【図６−２】図６−２は、実施例２の折機の作動を表す概略図である。
【図６−３】図６−３は、実施例２の折機の作動を表す概略図である。
【図７】図７は、本発明の実施例３に係る折機を表す概略構成図である。
【図８】図８は、本発明の実施例４に係る折機の要部を表す概略構成図である。
【図９−１】図９−１は、実施例４の折機の作動を表す概略図である。
【図９−２】図９−２は、実施例４の折機の作動を表す概略図である。
【図９−３】図９−３は、実施例４の折機の作動を表す概略図である。
【図９−４】図９−４は、実施例４の折機の作動を表す概略図である。
【図９−５】図９−５は、実施例４の折機の作動を表す概略図である。
【図９−６】図９−６は、実施例４の折機の作動を表す概略図である。
【図１０−１】図１０−１は、実施例４の折機の作動を表す概略図である。
【図１０−２】図１０−２は、実施例４の折機の作動を表す概略図である。
【図１０−３】図１０−３は、実施例４の折機の作動を表す概略図である。
【図１０−４】図１０−４は、実施例４の折機の作動を表す概略図である。
【図１０−５】図１０−５は、実施例４の折機の作動を表す概略図である。
【図１１−１】図１１−１は、実施例４の折機によるブロード判新聞の作成方法を表す概略図である。
【図１１−２】図１１−２は、実施例４の折機によるブロード判新聞の作成方法を表す概略図である。
【図１１−３】図１１−３は、実施例４の折機によるブロード判新聞の作成方法を表す概略図である。
【図１１−４】図１１−４は、実施例４の折機によるブロード判新聞の作成方法を表す概略図である。
【図１１−５】図１１−５は、実施例４の折機によるブロード判新聞の作成方法を表す概略図である。
【図１２】図１２は、本発明の実施例５に係る折機の要部を表す概略構成図である。
【図１３−１】図１３−１は、実施例５の折機の作動を表す概略図である。
【図１３−２】図１３−２は、実施例５の折機の作動を表す概略図である。
【図１４−１】図１４−１は、実施例５の折機によるタブロイド判新聞の作成方法を表す概略図である。
【図１４−２】図１４−２は、実施例５の折機によるタブロイド判新聞の作成方法を表す概略図である。
【図１４−３】図１４−３は、実施例５の折機によるタブロイド判新聞の作成方法を表す概略図である。
【図１５】図１５は、本発明の実施例６に係る折機の要部を表す概略構成図である。
【発明を実施するための形態】
【００４１】
以下に添付図面を参照して、本発明に係る折機、印刷方法、印刷機の好適な実施例を詳細に説明する。なお、この実施例により本発明が限定されるものではない。
【実施例１】
【００４２】
図１は、本発明の実施例１に係る折機を表す概略構成図、図２は、実施例１の折機の要部を表す概略図、図３−１から図３−３は、実施例１の折機の作動を表す概略図、図４は、実施例１の折機が適用された印刷機を表す概略構成図である。
【００４３】
実施例１の印刷機は、バリアブル印刷機を用いて新聞を印刷する新聞印刷機である。実施例１の印刷機は、図４に示すように、給紙部１１と、表面印刷ユニット１２と、裏面印刷ユニット１３と、折機１４と、排紙部１５とから構成されている。給紙部１１は、ウェブＷがロール状に巻かれた３つの巻取紙を保持する保持アーム１１ａを有し、この保持アーム１１ａを回動することで、巻取紙を給紙位置に回動することができる。
【００４４】
また、表面印刷ユニット１２は、ウェブＷの表面に多色印刷を行う印刷ユニットであって、バリアブル印刷機としてのインクジェット式印刷機により構成されている。また、裏面印刷ユニット１３は、ウェブＷの裏面に多色印刷を行う印刷ユニットであって、バリアブル印刷機としてのインクジェット式印刷機により構成されている。なお、バリアブル印刷機として、インクジェット式印刷機を適用したが、編集システムなどで作成したデータをそのまま受け取って印刷可能なデジタル印刷機であればよく、インクジェット方式に限らず、電子写真方式など、描画方式を問うものではない。
【００４５】
この場合、表面印刷ユニット１２及び裏面印刷ユニット１３は、搬送されるウェブＷの上方からインクジェットヘッドにより印刷を行うものであることから、表面印刷ユニット１２と裏面印刷ユニット１３との間に、ウェブＷの表裏を反転させる反転機が配置されている。なお、表面印刷ユニット１２と裏面印刷ユニット１３を上下に配置し、ウェブＷの搬送方向を逆にすることで、ウェブＷの表裏を反転させて印刷を行うようにしてもよい。
【００４６】
また、折機１４は、ロータリ（ブレード）フォルダ式であって、表面及び裏面に印刷が施されたウェブＷを、所定の長さに断裁してシートＳを形成してから重ね合わせ、このシートＳが予め設定された枚数だけ重ね合わされたら、横折りして所望の折帖Ｆを形成するものである。排紙部１５は、この折帖Ｆを連続して搬送することで、所定冊数ずつ排紙するものである。
【００４７】
この折機１４及び排紙部１５について詳細に説明すると、図１及び図２に示すように、最上部には、上述した裏面印刷ユニット１３で裏面印刷が施されたウェブＷを下方に搬入するガイドローラ２１が設けられ、このガイドローラ２１の下方に一対のニッピングローラ２２が設けられている。そして、このニッピングローラ２２の下方には、鋸胴２３と折胴２４がウェブＷを挟んで左右に対向して配設されており、折胴２４の下方には、一対の折込ローラ２５及び一対の紙ガイド２６が設けられている。更に、折込ローラ２５の下方には、羽根車２７が設けられると共に、この羽根車２７の下方には、排紙コンベア２８が設けられている。なお、排紙コンベア２８より下流側には図示しないチョッパ折装置が設けられている。
【００４８】
鋸胴２３は、その周面に周方向に均等間隔で、つまり、１８０度対向して鋸刃３１ａ，３１ｂが鋸台３２ａ，３２ｂに支持されて設けられている。一方、折胴２４は、その周面に周方向に均等間隔で、つまり、１８０度対向して鋸刃受３３ａ，３３ｂが設けられており、この鋸刃受３３ａ，３３ｂは、ゴム等の弾性体により構成されている。この場合、鋸胴２３と折胴２４は、同じ周速で同期回転しており、一定周期で鋸刃３１ａ，３１ｂと鋸刃受３３ａ，３３ｂが互いに対向するように、その回転位相が一致している。そのため、鋸胴２３と折胴２４が同期回転し、鋸刃３１ａ，３１ｂと鋸刃受３３ａ，３３ｂが対向して一致するときに、この鋸刃３１ａ，３１ｂによりウェブＷを横裁断し、所定長さのシートＳを形成することができる。
【００４９】
また、折胴２４は、その周面に周方向に均等間隔で、つまり、１８０度対向して針装置（保持部）３４ａ，３４ｂが、鋸刃受３３ａ，３３ｂより折胴２４の回転方向における上流側に設けられている。この針装置３４ａ，３４ｂは、同様の構成をなし、折胴２４の軸方向に沿って設けられた針軸３５ａ，３５ｂと、基端部がこの針軸３５ａ，３５ｂに固定された針アーム３６ａ，３６ｂと、この針アーム３６ａ，３６ｂの先端部に固定された針３７ａ，３７ｂとを有している。この針装置３４ａ，３４ｂは、駆動モータ３８ａ，３８ｂにより折胴２４の回転に応じて作動するものであり、所定の位置で、針アーム３６ａ，３６ｂを介して針３７ａ，３７ｂを外方に突出することで、ウェブＷの走行方向における先端部を保持することができ、所定の位置で、針アーム３６ａ，３６ｂを介して針３７ａ，３７ｂを戻すことで、ウェブＷ（シートＳ）の先端部の保持を解除することができる。
【００５０】
更に、折胴２４は、その周面に周方向に均等間隔で、つまり、１８０度対向して折ブレード３９ａ，３９ｂが折軸４０ａ，４０ｂに支持されて設けられており、この折ブレード３９ａ，３９ｂは、針装置３４ａ，３４ｂとほぼ９０度位相がずれて位置している。この折ブレード３９ａ，３９ｂは、櫛状をなすように、幅方向に多数のブレード本体が一体に形成されて構成され、先端部が折胴２４の周面から外方に突出可能となっている。そして、この折ブレード３９ａ，３９ｂは、駆動モータ４１ａ，４１ｂにより折胴２４の回転に応じて作動するものであり、所定の位置で、折ブレード３９ａ，３９ｂの先端部が外方に突出することで、鋸刃３１ａ，３１ｂにより裁断されたシートＳを折胴２４の周面から引き剥がすことができる。
【００５１】
なお、本実施例では、鋸刃３１ａ，３１ｂ、鋸刃受３３ａ，３３ｂ、針装置３４ａ，３４ｂ、折ブレード３９ａ，３９ｂを鋸胴２３、折胴２４の外周部に２組設けたが、この数に限定されるものではなく、鋸胴２３、折胴２４の径により、１組または３組以上設けてもよい。
【００５２】
折胴２４の下方に設けられた一対の折込ローラ２５は、折胴２４と同期回転可能に設けられており、折胴２４の下方で各折込ローラ２５の両側には、一対の紙ガイド２６が設けられている。この一対の折込ローラ２５は、折ブレード３９ａ，３９ｂにより折胴２４の周面から突出したウェブＷを挟持することで、折帖Ｆを形成することができる。このとき、一対の紙ガイド２６は、折帖Ｆをガイドする。
【００５３】
このように構成された折機１４を有する本実施例の印刷機では、各印刷ユニット１２，１３により印刷が施されたウェブＷを、折機１４により断裁すると共に重ねてから折り畳むものである。即ち、各印刷ユニット１２，１３は、インクジェット式印刷機であることから、搬送されるウェブＷに対して連続して異なる画像を印刷する。この場合、形成する新聞が４枚で１６頁から構成されるものであれば、各印刷ユニット１２，１３は、４種類の異なる画像を順番に印刷する。但し、本実施例では、折胴２４が２倍胴であることから、各印刷ユニット１２，１３は、４種類の画像を２個ずつ順番（例えば、Ａ−Ａ−Ｂ−Ｂ−Ｃ−Ｃ−Ｄ−Ｄ−Ａ−Ａ−Ｂ−Ｂ−Ｃ・・・）に印刷する。
【００５４】
そして、折機１４は、印刷が施されたウェブＷを鋸胴２３と折胴２４との間に供給し、このウェブＷを画像ごとで、且つ、所定の同じ長さに断裁すると共に、断裁されたシートＳを異なる画像が所定枚数重なるように折胴２４の周面に重ねていく。そして、折胴２４の周面に重ねられたシートＳが予め設定された所定枚数、ここでは、４枚に到達したら、４枚重ねられたシートＳを折り畳んで折帖Ｆを形成する。
【００５５】
本実施例では、周面にウェブＷを予め設定された所定枚数だけ重ねる巻取胴として折胴２４を適用し、この巻取胴（折胴２４）に巻き取られたウェブＷを所定の長さのシートＳに断裁する断裁手段として鋸胴２３を適用し、断裁手段（鋸胴２３）で断裁されて所定枚数だけ重ねられた複数のシートＳを折り畳む折畳手段として、折胴２４及び折込ローラ２５を適用している。また、この巻取胴は、折胴２４の外周部にウェブＷまたはシートＳを所定枚数だけ重ねる重ね部が設けられて構成されており、この重ね部の構成の一つとして、折胴２４に加えて針装置３４ａ，３４ｂを適用している。
【００５６】
また、折胴２４に重ねられたシートＳの枚数を検出する重ね枚数検出部として、折胴２４の回転位置を検出するロータリエンコーダ４２が設けられている。そして、制御部４３は、このロータリエンコーダ４２の検出結果、つまり、折胴２４に重ねられたシートＳの枚数に応じて各駆動モータ３８ａ，３８ｂ，４１ａ，４１ｂを駆動制御することで、針装置３４ａ，３４ｂ及び折ブレード３９ａ，３９ｂの作動を制御する。
【００５７】
即ち、制御部４３は、針３７ａ，３７ｂを突出させると共に、折ブレード３９ａ，３９ｂを退避させることで、折胴２４の周面にシートＳを重ねていき、シートＳの枚数が所定枚数に到達したら、針３７ａ，３７ｂを退避させて複数のシートＳの保持を解除すると同時に、折ブレード３９ａ，３９ｂを突出させてこのシートＳを折胴２４の周面から引き剥がす。
【００５８】
ここで、実施例１の折機１４の作動を詳細に説明する。
【００５９】
表面及び裏面に印刷が施されたウェブＷが折機１４に至ると、まず、図３−１に示すように、針装置３４ｂが作動して針３７ｂを外方に突出することで、ウェブＷの先端部を突き刺して保持する。この状態から、鋸胴２３及び折胴２４が回転し続けると、ウェブＷは折胴２４の周面に保持されたまま移動する。そして、所定の位置で、鋸胴２３の鋸刃３１ａと鋸刃受３３ａが対向して一致すると、この鋸刃３１ａによりウェブＷが横裁断され、シートＳ１が形成される。この鋸刃３１ａによる横裁断と同時に、針装置３４ａが作動して針３７ａを外方に突出することで、ウェブＷの先端部を突き刺して保持する。
【００６０】
続いて、針３７ｂがシートＳ１の先端部を突き刺して保持すると共に、針３７ａがウェブＷの先端部を突き刺して保持した状態から、鋸胴２３及び折胴２４が回転し続けると、シートＳ１及びウェブＷは折胴２４の周面に保持されたまま移動する。そして、図３−２に示すように、所定の位置で、鋸胴２３の鋸刃３１ｂと鋸刃受３３ｂが対向して一致すると、この鋸刃３１ｂによりウェブＷが横裁断され、シートＳ２が形成される。この鋸刃３１ｂによる横裁断と同時に、外方に突出している針３７ｂがシートＳ１の先端部を突き刺したままで、ウェブＷの先端部を突き刺して保持する。
【００６１】
この作動を繰り返し行うことで、図３−３に示すように、折胴２４の周面には、針３７ｂにより複数のシートＳが重ねられると共に、針３７ａにより複数のシートＳが重ねられる。そして、折胴２４の周面に、針３７ｂにより３枚のシートＳ１，Ｓ３，Ｓ５に加えてウェブＷが重ねられると、所定の位置で、鋸胴２３の鋸刃３１ａと鋸刃受３３ａが対向して一致するとき、この鋸刃３１ａによりウェブＷが横裁断され、シートＳ７が形成される。この鋸刃３１ａによる横裁断と同時に、外方に突出している針３７ａがシートＳ２，Ｓ４，Ｓ６の先端部を突き刺したままで、ウェブＷの先端部を突き刺して保持する。
【００６２】
また、鋸刃３１ａによる横裁断と同時に、針装置３４ｂが作動して針３７ｂを戻すことで、シートＳ１，Ｓ３，Ｓ５，Ｓ７の先端部の保持を解除すると共に、折ブレード３９ｂを回動して先端部が折胴２４の周面から外方に突出することで、重ねられているシートＳ１，Ｓ３，Ｓ５，Ｓ７を折胴２４の周面から下方へ引き剥がす。すると、折胴２４の周面から突出したシートＳ１，Ｓ３，Ｓ５，Ｓ７は、一対の折込ローラ２５により挟持されることで折帖Ｆが形成される。
【００６３】
更に、折胴２４の周面に、針３７ａにより３枚のシートＳ２，Ｓ４，Ｓ６に加えてウェブＷが重ねられると、所定の位置で、鋸胴２３の鋸刃３１ｂと鋸刃受３３ｂが対向して一致するとき、この鋸刃３１ｂによりウェブＷが横裁断され、シートＳ８（図示略）が形成される。この鋸刃３１ｂによる横裁断と同時に、外方に突出している針３７ａがシートＳ２，Ｓ４，Ｓ６の先端部を突き刺したままで、ウェブＷの先端部を突き刺して保持する。その後、同様にシートＳ２，Ｓ４，Ｓ６，Ｓ８に対して折ブレード３９ａ、が作動して折帖Ｆが形成される。
【００６４】
この場合、ウェブＷには、４種類の画像が２個ずつ順番に印刷（Ａ−Ａ−Ｂ−Ｂ−Ｃ−Ｃ−Ｄ−Ｄ−Ａ−Ａ−Ｂ−Ｂ−Ｃ・・・）されていることから、シートＳ１とＳ２、シートＳ３，Ｓ４、シートＳ５，Ｓ６、シートＳ７とＳ８がそれぞれ同じ画像であり、４枚重ねられたシートＳ１，Ｓ３，Ｓ５，Ｓ７と、シートＳ２，Ｓ４，Ｓ６，Ｓ８は、異なる画像が重ねられたものとなる。つまり、実施例１の折胴２４では、１回転することで、同じ折帖Ｆを２組作成することができる。
【００６５】
このように実施例１の折機１４にあっては、ウェブＷを所定の長さのシートＳに断裁する鋸胴２３と、鋸胴２３に対接してこの鋸胴２３で断裁されたシートＳを折り畳む折胴２４と、この折胴２４により折り畳まれたシートＳを折帖Ｆとする一対の折込ローラ２５とを備えて構成し、折胴２４の周面にシートＳを予め設定された所定枚数だけ重ねる重ね部を設けている。
【００６６】
従って、ウェブＷが鋸胴２３及び折胴２４に搬送されるとき、鋸胴２３で断裁されたシートＳが、重ね部としての折胴２４の周面に所定枚数だけ重ねられ、その後、重ねられたシートＳが折胴２４で折り畳まれることとなり、連続して異なる画像が印刷されたウェブＷを画像ごとに断裁すると共に、重ねてから折り畳み可能とすることで、印刷コストの低減を図ることができる。
【００６７】
また、実施例１の折機１４では、折胴２４に、ウェブＷの先端部を保持可能な針装置３４ａ，３４ｂと、鋸胴２３により裁断されて重ね部で重ねられたシートＳを折胴２４の周面から突出可能な折ブレード３９ａ，３９ｂと、重ね部に重ねられたシートＳの枚数に応じて針装置３４ａ，３４ｂ及び折ブレード３９ａ，３９ｂを作動制御可能な制御部４３とを設けている。従って、制御部４３により針装置３４ａ，３４ｂ及び折ブレード３９ａ，３９ｂを独立して作動制御することで、折胴２４の周面にシートＳを所定枚数だけ重ねることができる。
【００６８】
また、実施例１の折機１４では、重ね部としての折胴２４の周面に、鋸胴２３によりウェブＷが裁断されて形成されたシートＳを所定枚数だけ重ねており、ウェブＷを裁断してから折胴２４にシートＳを所定枚数だけ重ねることで、折胴２４の周面に複数のシートＳを高精度に重ねることができる。
【００６９】
また、実施例１の折機１４では、折胴２４に重ねられたシートＳの枚数を検出するロータリエンコーダ４２を設け、制御部４３は、折胴２４に重ねられたシートＳの枚数が所定枚数に到達したら、針装置３４ａ，３４ｂにより保持された複数のシートＳの保持を解除すると同時に、折ブレード３９ａ，３９ｂを突出してこのシートＳを折胴２４の周面から引き剥がすようにしている。従って、必要に応じて、折胴２４の周面に所望の枚数だけシートＳを重ねることができ、作成する新聞の形態に応じて重ねるシートＳの枚数を変更することができ、汎用性を向上することができる。
【００７０】
また、実施例１の印刷機では、給紙部１１と、ウェブＷに連続して異なる画像を印刷する印刷ユニット１２，１３と、ウェブＷを断裁すると共に重ねて折り畳むことで折帖Ｆを形成する折機１４とを設け、折機１４として、ウェブＷを所定の長さのシートＳに断裁する鋸胴２３と、鋸胴２３に対接してこの鋸胴２３で断裁されたシートＳを折り畳む折胴２４と、この折胴２４により折り畳まれたシートＳを折帖Ｆとする一対の折込ローラ２５とを備えて構成し、折胴２４の周面にウェブＷまたはシートＳを予め設定された所定枚数だけ重ねる重ね部を設けている。従って、連続して異なる画像が印刷されたウェブＷを画像ごとに断裁すると共に、重ねてから折り畳み可能とすることで、印刷コストの低減を図ることができる。
【００７１】
また、実施例１の印刷方法によれば、ウェブＷに対して連続して異なる画像を印刷し、印刷が施されたウェブＷを鋸胴２３と折胴２４の間に供給し、このウェブＷを画像ごとに断裁すると共に、断裁された異なる画像のシートＳを折胴２４の周面に重ねていき、折胴２４の周面に重ねられたシートＳが予め設定された所定枚数に到達したら折り畳んで折帖Ｆを形成するようにしている。従って、連続して異なる画像が印刷されたウェブＷを画像ごとに断裁すると共に、重ねてから折り畳み可能とすることで、印刷コストの低減を図ることができる。
【実施例２】
【００７２】
図５は、本発明の実施例２に係る折機の要部を表す概略構成図、図６−１から図６−３は、実施例２の折機の作動を表す概略図である。なお、前述した実施例で説明したものと同様の機能を有する部材には同一の符号を付して重複する説明は省略する。
【００７３】
実施例２の印刷機に適用された折機１４は、鋸胴２３と折胴２４がウェブＷを挟んで左右に対向して配設されており、折胴２４の下方には、一対の折込ローラ２５が設けられている。
【００７４】
鋸胴２３は、その周面に周方向に均等間隔で、つまり、１８０度対向して鋸刃３１ａ，３１ｂが鋸台３２ａ，３２ｂに支持されて設けられている。一方、折胴２４は、その周面に周方向に均等間隔で、つまり、１８０度対向して鋸刃受３３ａ，３３ｂが設けられている。この鋸刃３１ａ，３１ｂは、エアシリンダ５１ａ，５１ｂにより鋸胴２３の回転に応じて作動するものであり、所定の位置で、鋸刃３１ａ，３１ｂを外方に突出することで、ウェブＷを横裁断し、所定長さのシートＳを形成することができる。
【００７５】
このように構成された折機１４を有する本実施例の印刷機では、印刷が施されたウェブＷを、折機１４により重ねてから断裁し、その後に折り畳むものである。即ち、折機１４は、印刷が施されたウェブＷを鋸胴２３と折胴２４との間に供給し、このウェブＷを折胴２４の周面に重ねていき、折胴２４の周面に重ねられたウェブＷが予め設定された所定枚数に到達したら、ウェブＷを画像ごとで、且つ、所定の同じ長さに断裁すると共に、折り畳んで折帖Ｆを形成する。
【００７６】
本実施例では、周面にウェブＷを予め設定された所定枚数だけ重ねる巻取胴として折胴２４を適用し、この巻取胴は、折胴２４の外周部にウェブＷまたはシートＳを所定枚数だけ重ねる重ね部が設けられて構成されており、この重ね部の構成の一つとして、折胴２４に加えて針装置３４ａ，３４ｂを適用している。また、折胴（重ね部）２４に重ねられたシートＳの枚数を検出する重ね枚数検出部として、折胴２４の回転位置を検出するロータリエンコーダが設けられている。そして、制御部は、このロータリエンコーダの検出結果、つまり、折胴２４に重ねられたシートＳの枚数に応じて各駆動モータ３８ａ，３８ｂ，４１ａ，４１ｂ及びエアシリンダ５１ａ，５１ｂを駆動制御することで、針装置３４ａ，３４ｂ、折ブレード３９ａ，３９ｂ、鋸刃３１ａ，３１ｂの作動を制御する。
【００７７】
即ち、制御部は、針３７ａ，３７ｂの一方を突出させると共に、折ブレード３９ａ，３９ｂ及び鋸刃３１ａ，３１ｂを退避させることで、折胴２４の周面にウェブＷを巻きつけて重ねていき、ウェブＷの枚数が所定枚数に到達したら、鋸刃３１ａ，３１ｂを突き出してウェブＷを断裁してシートＳを形成する。また、針３７ａ，３７ｂの一方を退避させてウェブＷ（シートＳ）の保持を解除すると同時に、折ブレード３９ａ，３９ｂを突出させてこのシートＳを折胴２４の周面から引き剥がす。
【００７８】
ここで、実施例２の折機１４の作動を詳細に説明する。
【００７９】
表面及び裏面に印刷が施されたウェブＷが折機１４に至ると、まず、図６−１に示すように、針装置３４ｂが作動して針３７ｂを外方に突出することで、ウェブＷの先端部を突き刺して保持する。この状態から、鋸胴２３及び折胴２４が回転し続けると、ウェブＷは折胴２４の周面に保持されたまま移動する。そして、所定の位置で、針装置３４ａが作動して針３７ａを外方に突出することで、ウェブＷを突き刺して保持する。このとき、鋸胴２３の鋸刃３１ａが退避位置にあることから、この鋸刃３１ａによりウェブＷが横裁断されることはない。
【００８０】
この作動を繰り返し行うことで、図６−２に示すように、折胴２４の周面に、４重にウェブＷが重ねられると、所定の位置で、鋸胴２３の鋸刃３１ｂを外方に突出することで、鋸刃３１ｂと鋸刃受３３ｂが対向して一致するとき、この鋸刃３１ｂにより４重のウェブＷが横裁断される。そして、更に、鋸胴２３及び折胴２４が回転し、図６−３に示すように、所定の位置で、鋸胴２３の鋸刃３１ａを外方に突出することで、鋸胴２３の鋸刃３１ａと鋸刃受３３ａが対向して一致したとき、この鋸刃３１ａにより４重のウェブＷが横裁断され、重ねられた４枚のシートＳ１，Ｓ３，Ｓ５，Ｓ７が形成される。
【００８１】
また、鋸刃３１ａによる横裁断と同時に、針装置３４ｂが作動して針３７ｂを戻すことで、シートＳ１，Ｓ３，Ｓ５，Ｓ７の先端部の保持を解除すると共に、折ブレード３９ｂを回動して先端部が折胴２４の周面から外方に突出することで、重ねられているシートＳ１，Ｓ３，Ｓ５，Ｓ７を折胴２４の周面から下方へ引き剥がす。すると、折胴２４の周面から突出したシートＳ１，Ｓ３，Ｓ５，Ｓ７は、一対の折込ローラ２５により挟持されることで折帖Ｆが形成される。
【００８２】
このように実施例２の折機１４にあっては、重ね部としての折胴２４は、搬送されたウェブＷを所定枚数だけ重ね、その後、鋸胴２３は、重ねられたウェブＳを裁断している。従って、折胴２４にウェブＷを所定枚数だけ重ねてからシートＳに裁断することで、折胴２４の周面でウェブＷを高精度に断裁することができる。
【００８３】
また、実施例２の折機１４では、鋸胴２３にウェブＷを所定の長さのシートＳに断裁する鋸刃３１ａ，３１ｂを設け、折胴２４に重ねられたウェブＷの枚数を検出するロータリエンコーダ４２を設け、制御部４３は、折胴２４の周面に重ねられたウェブＷの枚数が所定枚数に到達したら、鋸刃３１ａ，３１ｂによりウェブＷを所定の長さのシートＳに断裁した後、針装置３４ａ，３４ｂによる保持された複数のシートＳの保持を解除すると同時に、折ブレード３９ａ，３９ｂを突出してこのシートＳを折胴２４の周面から引き剥がすようにしている。従って、必要に応じて、折胴２４の周面に所望の枚数だけウェブＷを重ねることができ、作成する新聞の形態に応じて重ねるウェブＷの枚数を変更することができ、汎用性を向上することができる。
【００８４】
また、実施例２の印刷方法では、ウェブＷに対して連続して異なる画像を印刷し、印刷が施されたウェブＷを鋸胴２３と折胴２４の間に供給し、このウェブＷを折胴２４の周面に重ねていき、折胴２４の周面に重ねられたウェブＷが予め設定された所定枚数に到達したら、このウェブＷを画像ごとに断裁すると共に折り畳んで折帖Ｆを形成するようにしている。従って、連続して異なる画像が印刷されたウェブＷを、画像ごとに断裁すると共に、重ねてから折り畳み可能とすることで、印刷コストの低減を図ることができる。
【００８５】
なお、上述した実施例２にて、ウェブＷを折胴２４の周面に巻き付けて重ねるとき、針装置３４ａ，３４ｂによりウェブＷを所定間隔ごとに保持したが、針装置３４ａ，３４ｂによりウェブＷを保持しないで折胴２４の周面に巻き付けて重ねるようにしてもよい。この場合、まず、ウェブＷの先端部だけを針装置３４ａ，３４ｂの一方により保持し、所定枚数重なったら、針装置３４ａ，３４ｂの他方を突き出して保持してから、鋸刃３１ａ，３１ｂにより所定の長さに断裁すればよい。
【実施例３】
【００８６】
図７は、本発明の実施例３に係る折機を表す概略構成図である。
【００８７】
実施例３の印刷機は、実施例１と同様に、バリアブル印刷機を用いて新聞を印刷する新聞印刷機である。図７に示すように、実施例３の折機６０は、バリアブル印刷機としてのインクジェット式印刷機により表面及び裏面に印刷が施されたウェブＷを、所定の長さに断裁してシートＳを形成してから重ね合わせ、このシートＳが予め設定された枚数だけ重ね合わされたら、横折りすると共に縦折りして所望の折帖Ｆを形成するものである。
【００８８】
この折機６０について詳細に説明する。この折機６０は、ジョウフォルダ式であって、最上部には、表面印刷及び裏面印刷が施されたウェブＷを下方に搬入するガイドローラ６１が設けられ、このガイドローラ６１の下方に一対のニッピングローラ６２が設けられている。そして、このニッピングローラ６２の下方には、鋸胴６３と折胴６４がウェブＷを挟んで左右に対向して配設されており、折胴６４に対向して咥胴６５が設けられている。更に、咥胴６５に隣接してチョッパ折装置６６が設けられると共に、このチョッパ折装置６６の下方には、排紙コンベア６７が設けられている。
【００８９】
鋸胴６３は、その周面に周方向に均等間隔で、つまり、１８０度対向して鋸刃７１ａ，７１ｂが設けられている。一方、折胴６４は、その周面に周方向に均等間隔で、つまり、１８０度対向して鋸刃受７２ａ，７２ｂが設けられており、鋸刃７１ａ，７１ｂと鋸刃受７２ａ，７２ｂが互いに対向するように、その回転位相が一致している。そのため、鋸胴６３と折胴６４が同期回転し、鋸刃７１ａ，７１ｂと鋸刃受７２ａ，７２ｂが対向して一致するときに、この鋸刃７１ａ，７１ｂによりウェブＷを横裁断し、所定長さのシートＳを形成することができる。
【００９０】
また、折胴６４は、その周面に周方向に均等間隔で、つまり、１８０度対向して針装置（保持部）７３ａ，７３ｂが、鋸刃受７２ａ，７２ｂより折胴６４の回転方向における上流側に設けられている。この針装置７３ａ，７３ｂは、駆動モータ７４ａ，７４ｂにより折胴６４の回転に応じて作動するものであり、所定の位置で、針を外方に突出することで、ウェブＷの走行方向における先端部を保持することができ、所定の位置で、針を戻すことで、ウェブＷ（シートＳ）の先端部の保持を解除することができる。
【００９１】
更に、折胴６４は、その周面に周方向に均等間隔で、つまり、１８０度対向して折ブレード７５ａ，７５ｂが設けられており、この折ブレード７５ａ，７５ｂは、針装置７３ａ，７３ｂとほぼ９０度位相がずれて位置している。この折ブレード７５ａ，７５ｂは、エアシリンダ７６ａ，７６ｂにより折胴６４の回転に応じて作動するものであり、所定の位置で、折ブレード７５ａ，７５ｂの先端部が外方に突出することで、鋸刃７１ａ，７１ｂにより裁断されたシートＳを折胴６４の周面から引き剥がすことができる。
【００９２】
また、咥胴６５は、その周面に周方向に均等間隔で、つまり、１８０度対向して咥え装置７８ａ，７８ｂが設けられており、この咥え装置７８ａ，７８ｂは、駆動モータ７９ａ，７９ｂにより咥胴６５の回転に応じて作動するものであり、所定の位置で、折ブレード７５ａ，７５ｂにより突き出されたシートＳを咥えて搬送することができる。
【００９３】
なお、本実施例では、鋸刃７１ａ，７１ｂ、鋸刃受７２ａ，７２ｂ、針装置７３ａ，７３ｂ、折ブレード７５ａ，７５ｂ、咥え装置７８ａ，７８ｂを、鋸胴６３、折胴６４、咥胴６５の外周部に２組設けたが、この数に限定されるものではなく、鋸胴６３、折胴６４、咥胴６５の径により、１組または３組以上設けてもよい。
【００９４】
チョッパ折装置６６において、チョッパテーブル８１が水平に配設され、このチョッパテーブル８１の上方には、上搬送コンベア８２が配置されると共に、下搬送コンベア８３が配置されている。各搬送コンベア８２，８３は、無端の搬送ベルトと複数のガイドローラと駆動モータとを有し、咥胴６５が解除した折帖Ｆ１を上下から挟持してチョッパテーブル８１上の所定の位置まで搬送することができる。
【００９５】
チョッパテーブル８１は、その所定の位置にスリット８４が形成されると共に、スリット８４より折帖Ｆ１の搬送方向の下流側に隣接してストッパ８５が設けられている。このストッパ８５は、搬送コンベア８２，８３により搬送される折帖Ｆ１の先端部が当接することで、そのチョッパ折り位置を規定するものである。スリット８４の上方には、ストッパ８５に当接した折帖Ｆ１の中央部に接触してスリット８４内に押し込むチョッパブレード８６が配設されており、図示しない駆動装置によりチョッパブレード８６を上下方向に沿って移動可能となっている。
【００９６】
そして、チョッパテーブル８１の下方には、スリット８４の下方に対向して、このスリット８４から下降した折帖Ｆ２をニップ圧により挟み込んで折り曲げる一対の折込ローラ８７が回転可能に設けられている。
【００９７】
このように構成された折機６０を有する本実施例の印刷機では、印刷が施されたウェブＷを、折機６０により断裁すると共に重ねてから折り畳むものである。即ち、図示しないインクジェット式印刷機は、搬送されるウェブＷに対して連続して異なる画像を印刷する。折機６０は、印刷が施されたウェブＷを鋸胴６３と折胴６４との間に供給し、このウェブＷを画像ごとで、且つ、所定の同じ長さに断裁すると共に、断裁されたシートＳを折胴６４の周面に重ねていく。そして、折胴６４の周面に重ねられたシートＳが予め設定された所定枚数に到達したら、重ねられたシートＳを折胴６４から咥胴６５に渡すことで横折りして折帖Ｆ１を形成した後、チョッパ折装置６６により縦折りして折帖Ｆ２を形成する。
【００９８】
本実施例では、周面にウェブＷを予め設定された所定枚数だけ重ねる巻取胴として折胴６４を適用し、この巻取胴は、折胴６４の外周部にウェブＷまたはシートＳを所定枚数だけ重ねる重ね部が設けられて構成されており、この重ね部の構成の一つとして、折胴６４に加えて針装置７３ａ，７３ｂを適用している。また、折胴（重ね部）６４に重ねられたシートＳの枚数を検出する重ね枚数検出部として、折胴６４の回転位置を検出するロータリエンコーダ（図示略）が設けられている。そして、図示しない制御部は、このロータリエンコーダの検出結果、つまり、折胴６４に重ねられたシートＳの枚数に応じて針装置７３ａ，７３ｂ及び折ブレード７５ａ，７５ｂの作動を制御する。
【００９９】
ここで、実施例３の折機６０の作動を詳細に説明する。
【０１００】
表面及び裏面に印刷が施されたウェブＷが折機６０に至ると、まず、針装置７３ａが作動して針を外方に突出させることで、ウェブＷの先端部を突き刺して保持する。この状態から、鋸胴６３及び折胴６４が回転し続けると、ウェブＷは折胴６４の周面に保持されたまま移動する。そして、所定の位置で、鋸胴６３の鋸刃７１ｂと鋸刃受７２ｂに対向して一致すると、この鋸刃７１ｂによりウェブＷが横裁断され、シートＳが形成される。この鋸刃７１ｂによる横裁断と同時に、針装置７３ｂが作動して針を外方に突出させることで、ウェブＷの先端部を突き刺して保持する。
【０１０１】
続いて、針装置７３ａがシートＳの先端部を突き刺して保持すると共に、針装置７３ｂがウェブＷの先端部を突き刺して保持した状態から、鋸胴６３及び折胴６４が回転し続けると、シートＳ及びウェブＷは折胴６４の周面に保持されたまま移動する。そして、所定の位置で、鋸胴６３の鋸刃７１ａと鋸刃受７２ａが対向して一致すると、この鋸刃７１ａによりウェブＷが横裁断され、シートＳが形成される。この鋸刃７１ａによる横裁断と同時に、外方に突出している針装置７３ａがシートＳの先端部を突き刺したままで、ウェブＷの先端部を突き刺して保持する。
【０１０２】
この作動を繰り返し行うことで、折胴６４の周面には、針装置７３ａにより複数のシートＳが重ねられると共に、針装置７３ｂにより複数のシートＳが重ねられる。そして、折胴６４の周面に、針装置７３ａにより３枚のシートＳに加えてウェブＷが重ねられると、所定の位置で、鋸胴６３の鋸刃７１ｂと鋸刃受７２ｂが対向して一致するとき、この鋸刃７１ｂによりウェブＷが横裁断され、４枚のシートＳが重なる。
【０１０３】
また、鋸刃７１ｂによる横裁断と同時に、針装置７３ａの針を戻すことで、４枚に重ねられたシートＳの先端部の保持を解除すると共に、折ブレード７５ａを前進して先端部が折胴６４の周面から外方に突出することで、重ねられている４枚のシートＳを折胴６４の周面から下方へ引き剥がす。すると、折胴６４に同期して回転する咥胴６５は、折ブレード７５ａと咥え装置７８ａが一致したときに、咥え装置７８ａが折胴６４の周面から突出した４枚のシートＳを咥えて挟持することで折帖Ｆ１が形成される。
【０１０４】
折胴６４及び咥胴６５により２つ折りになった折帖Ｆ１は、上下の搬送コンベア８２，８３によりチョッパテーブル８１上を搬送され、先端部がストッパ８５に当接した位置で停止する。すると、駆動装置により、チョッパテーブル８１上の基準位置で停止する折帖Ｆ１に対してチョッパブレード８６が下降し、折帖Ｆ１の中央部分がチョッパテーブル８１のスリット８４に押し込まれる。一対の折込ローラ８７は、この折帖Ｆ１を挟持して折り曲げながら通過させることで、４つ折りに折り畳まれた折帖Ｆ２が形成される。
【０１０５】
このように実施例３の折機６０にあっては、ウェブＷを所定の長さのシートＳに断裁する鋸胴６３と、鋸胴６３に対接してこの鋸胴６３で断裁されたシートＳを折り畳む折胴６４と、この折胴６４により折り畳まれたシートＳを折帖Ｆとする咥胴６５を備えて構成し、折胴６４を巻取胴としてその周面にシートＳを予め設定された所定枚数だけ重ねる重ね部を設けている。
【０１０６】
従って、ウェブＷが鋸胴６３及び折胴６４に搬送されるとき、鋸胴６３で断裁されたシートＳが、重ね部としての折胴６４の周面に所定枚数だけ重ねられ、その後、重ねられたシートＳが折胴６４で折り畳まれることとなり、連続して異なる画像が印刷されたウェブＷを、画像ごとに断裁すると共に、重ねてから折り畳み可能とすることで、印刷コストの低減を図ることができる。
【０１０７】
また、実施例３の折機６０では、折胴６４により横折りされた束状のシートＳを縦折りするチョッパ折装置６６を設けており、所定枚数重ねられたシートＳに対して高精度な横折りと縦折りを可能とすることができる。
【実施例４】
【０１０８】
図８は、本発明の実施例４に係る折機の要部を表す概略構成図、図９−１から図１０−５は、実施例４の折機の作動を表す概略図、図１１−１から図１１−５は、実施例４の折機によるブロード判新聞の作成方法を表す概略図である。
【０１０９】
実施例４の印刷機は、実施例３と同様に、バリアブル印刷機を用いて新聞を印刷する新聞印刷機であり、ブロード判（ブランケット判）の新聞を作成するものである。図８に示すように、実施例４の折機１００は、バリアブル印刷機としてのインクジェット式印刷機により表面及び裏面に印刷が施されたウェブＷを、所定の長さに断裁してシートＳを形成してから重ね合わせ、このシートＳが予め設定された枚数だけ重ね合わされたら、横折りすると共に縦折りして所望の折帖Ｆを形成するものである。
【０１１０】
この折機１００について詳細に説明する。この折機１００は、ジョウフォルダ式であって、下部には、表面印刷及び裏面印刷が施されたウェブＷを上方に搬入するガイドローラ１０１，１０２（図９−１参照）が設けられ、このガイドローラ１０２の上方には、鋸胴１０３と折胴１０４がウェブＷを挟んで左右に対向して配設されており、折胴１０４に対向して鋸胴１０３の反対側に咥胴１０５が設けられている。更に、咥胴１０５に隣接して搬送コンベア１０６が設けられており、この搬送コンベア１０６に隣接して図示しないチョッパ折装置が設けられている。なお、折胴１０４と咥胴１０５とが対向する下方には、咥胴１０５が咥えた折帖Ｆをガイドする紙ガイド１０７が設けられている。
【０１１１】
鋸胴１０３は、２倍胴であって、その周面に周方向に均等間隔で、つまり、１８０度対向して鋸刃１１１ａ，１１１ｂが設けられている。一方、折胴１０４は、３倍胴であって、その周面に周方向に均等間隔で、つまり、１２０度対向して鋸刃受１１２ａ，１１２ｂ，１１２ｃが設けられており、鋸刃１１１ａ，１１１ｂと鋸刃受１１２ａ，１１２ｂ，１１２ｃが互いに対向するように、その回転位相が一致している。そのため、鋸胴１０３と折胴１０４が同期回転し、鋸刃１１１ａ，１１１ｂと鋸刃受１１２ａ，１１２ｂ，１１２ｃが対向して一致するときに、この鋸刃１１１ａ，１１１ｂによりウェブＷを横裁断し、所定長さのシートＳを形成することができる。
【０１１２】
また、折胴１０４は、その周面に周方向に均等間隔で、つまり、１２０度対向して針装置（保持部）１１３ａ，１１３ｂ，１１３ｃが、鋸刃受１１２ａ，１１２ｂ，１１２ｃより折胴１０４の回転方向における上流側に設けられている。この針装置１１３ａ，１１３ｂ，１１３ｃは、図示しない駆動モータまたはカムにより折胴１０４の回転に応じて作動するものであり、所定の位置で、針を外方に突出することで、ウェブＷの走行方向における先端部を保持することができ、所定の位置で、針を戻すことで、ウェブＷ（シートＳ）の先端部の保持を解除することができる。
【０１１３】
更に、折胴１０４は、その周面に周方向に均等間隔で、つまり、１２０度対向して折ブレード１１４ａ，１１４ｂ，１１４ｃが設けられており、この折ブレード１１４ａ，１１４ｂ，１１４ｃは、針装置１１３ａ，１１３ｂ，１１３ｃとほぼ６０度位相がずれて位置している。この折ブレード１１４ａ，１１４ｂ，１１４ｃは、図示しないエアシリンダまたはカムにより折胴１０４の回転に応じて作動するものであり、所定の位置で、折ブレード１１４ａ，１１４ｂ，１１４ｃの先端部が外方に突出することで、鋸刃１１１ａ，１１１ｂにより裁断されたシートＳを折胴１０４の周面から引き剥がすことができる。
【０１１４】
また、咥胴１０５は、その周面に周方向に均等間隔で、つまり、１２０度対向して咥え装置１１５ａ，１１５ｂ，１１５ｃが設けられており、この咥え装置１１５ａ，１１５ｂ，１１５ｃは、図示しない駆動モータまたはカムにより咥胴１０５の回転に応じて作動するものであり、所定の位置で、折ブレード１１４ａ，１１４ｂ，１１４ｃにより突き出されたシートＳにおける長手方向の中間部を咥えて搬送することができる。
【０１１５】
ところで、鋸胴１０３は、鋸刃１１１ａ，１１１ｂがウェブＷを断裁可能な断裁位置と、鋸刃１１１ａ，１１１ｂがウェブＷから離間した待機位置に移動可能であり、図示しない制御部は、折胴１０４に重ねられたウェブＷの枚数が所定枚数に到達したら、鋸胴１０３を待機位置から断裁位置に移動することができる。即ち、鋸胴１０３にて、図示しない左右のフレームには回転軸１１６が回転自在に支持され、この回転軸１１６には偏心軸受１１７を介して鋸胴本体１１８が装着されている。そして、回転軸１１６に図示しない第１駆動装置が連結される一方、偏心軸受１１７に第２駆動装置が連結されている。従って、第１駆動装置により回転軸１１６を回転することで、鋸胴１０３を折胴１０４や咥胴１０５と駆動回転することができ、第２駆動装置により偏心軸受１１７を回動することで、鋸胴本体１１８を径方向に移動し、鋸胴１０３を待機位置と断裁位置との間で移動することができる。
【０１１６】
なお、本実施例では、鋸刃１１１ａ，１１１ｂを、鋸胴１０３の外周部に２組設け、鋸刃受１１２ａ，１１２ｂ，１１２ｃ、針装置１１３ａ，１１３ｂ，１１３ｃ、折ブレード１１４ａ，１１４ｂ，１１４ｃを、折胴１０４の外周部に３組設け、咥え装置１１５ａ，１１５ｂ，１１５ｃを咥胴１０５の外周部に３組設けたが、この数に限定されるものではない。即ち、鋸胴１０３と折胴１０４と咥胴１０５の回転時に、鋸刃１１１ａ，１１１ｂと鋸刃受１１２ａ，１１２ｂ，１１２ｃ、折ブレード１１４ａ，１１４ｂ，１１４ｃと咥え装置１１５ａ，１１５ｂ，１１５ｃとが対向する位置にあれば、鋸胴１０３、折胴１０４、咥胴１０５の径に応じて、１組または４組以上であってもよい。
【０１１７】
このように構成された折機１００を有する本実施例の印刷機では、印刷が施されたウェブＷを、折機１００により重ねてから断裁し、その後に折り畳むものである。即ち、図示しないインクジェット式印刷機は、搬送されるウェブＷに対して連続して異なる画像を印刷する。この場合、ウェブＷには、画像の幅方向がウェブＷの搬送方向となるように画像が印刷されている。折機１００は、印刷が施されたウェブＷを鋸胴１０３と折胴１０４との間に供給し、このウェブＷを折胴１０４の周面に重ねていき、折胴１０４の周面に重ねられたウェブＷが予め設定された所定枚数に到達したら、ウェブＷを画像ごとで、且つ、所定の同じ長さに断裁すると共に、折り畳んで折帖Ｆを形成する。
【０１１８】
本実施例では、周面にウェブＷを予め設定された所定枚数だけ重ねる巻取胴として折胴１０４を適用し、この巻取胴は、折胴１０４の外周部にウェブＷまたはシートＳを所定枚数だけ重ねる重ね部が設けられて構成されており、この重ね部の構成の一つとして、折胴１０４に加えて針装置１１３ａ，１１３ｂ，１１３ｃを適用している。また、折胴（重ね部）１０４に重ねられたウェブＷの枚数を検出する重ね枚数検出部として、折胴１０４の回転位置を検出するロータリエンコーダ（図示略）が設けられている。そして、図示しない制御部は、このロータリエンコーダの検出結果、つまり、折胴１０４に重ねられたウェブＷの枚数に応じて鋸胴１０３、針装置１１３ａ，１１３ｂ，１１３ｃ、折ブレード１１４ａ，１１４ｂ，１１４ｃの作動を制御する。
【０１１９】
ここで、実施例４の折機１００の作動を詳細に説明する。
【０１２０】
本実施例にて、表面及び裏面に印刷が施されたウェブＷは、図１１−１に示すように、画像の幅方向がウェブＷの搬送方向となるように異なる画像が連続して印刷されている。この場合、画像Ａ１は、画像Ａ１−１と画像Ａ１−２からなり、画像Ｂ１は、画像Ｂ１−１と画像Ｂ１−２からなり、画像Ｃ１は、画像Ｃ１−１と画像Ｃ１−２からなり、画像Ａ１と画像Ｂ１と画像Ｃ１は、同じ画像である。そして、画像Ｃ１に続く画像Ａ２は、画像Ａ２−１と画像Ａ２−２からなり、画像Ｂ２は、画像Ｂ２−１と画像Ｂ２−２からなり、画像Ｃ２は、画像Ｃ２−１と画像Ｃ２−２からなり、画像Ａ２と画像Ｂ２と画像Ｃ２は、同じ画像であるが、画像Ａ１、画像Ｂ１、画像Ｃ１と、画像Ａ２、画像Ｂ２、画像Ｃ２とは異なる画像である。そして、画像Ｃ２には、画像Ａ３、画像Ｂ３、画像Ｃ３、画像Ａ４・・・画像Ａｎ、画像Ｂｎ、画像Ｃｎまで続く。
【０１２１】
このように表面及び裏面に印刷が施されたウェブＷは、折機１００にて、図９−１に示すように、まず、鋸胴１０３の鋸刃１１１ａに断裁されると共に、針装置１１２ａが作動して針を外方に突出させることで、ウェブＷの先端部を突き刺して保持する。この状態から、鋸胴１０３及び折胴１０４が回転し続けると、ウェブＷは折胴１０４の周面に保持されたまま移動する。このとき、図９−２に示すように、鋸胴１０３は、断裁位置から待機位置へ移動する。
【０１２２】
そして、図９−３から図９−４に示すように、鋸胴１０３、折胴１０４、咥胴１０５が同期回転し続けるとき、針装置１１３ａが突出してウェブＷの先端部を保持しているものの、残りの針装置１１３ｂ，１１３ｃは突出せず、また、折ブレード１１４ａ，１１４ｂ，１１４ｃも突出しない。
【０１２３】
ウェブＷが折胴１０４の周面に所定のｎ枚数より１枚少ないｎ−１枚数が重ねられると、図９−５に示すように、所定の位置で、針装置１１３ｂが作動して外方に突出することで、ウェブＷを突き刺して保持する。同様に、図９−６に示すように、所定の位置で、針装置１１３ｃが作動して外方に突出することで、ウェブＷを突き刺して保持する。このとき、折胴１０４の周面には、図１１−２に示すように、画像Ａ１〜Ａｎ−１、画像Ｂ１〜Ｂｎ−１、画像Ｃ１〜Ｃｎ−１が重なった状態となる。
【０１２４】
そして、図１０−１に示すように、折胴１０４の周面に、ｎ枚数のウェブＷが重ねられる前に、鋸胴１０３が待機位置から断裁位置へ移動し、所定の位置で、鋸胴１０３の鋸刃１１１ａが折胴１０４の鋸刃受１１２ａと対向して一致するとき、ｎ−１枚数重ねられたウェブＷが横裁断される。同時に、針装置１１３ａが折胴１０４上に重ねられたｎ−１枚のウェブＷと共に新たな１枚のウェブＷを保持し、ｎ枚数のウェブＷを保持する。
【０１２５】
続いて、鋸胴１０３及び折胴１０４が回転し、図１０−２に示すように、所定の位置で、鋸胴１０３の鋸刃１１１ｂが折胴１０４の鋸刃受１１２ｂと対向して一致するとき、ｎ枚数重ねられたウェブＷが横裁断される。同時に、針装置１１３ｂが折胴１０４上に重ねられたｎ−１枚のウェブＷと共に新たな１枚のウェブＷを保持し、ｎ枚数のウェブＷを保持する。すると、折胴１０４の周面にて、針装置１１３ａと針装置１１３ｂとの間で、先端部がこの針装置１１３ａにより保持されたｎ枚数の束状のシートＳが形成される。
【０１２６】
そして、折胴１０４が回転し続けると、図１０−３に示すように、折ブレード１１４ａが咥胴１０５の咥え装置１１５ａと対向して一致するとき、針装置１１１ａが作動して内方に戻すことで、ｎ枚数重ねられたシートＳの先端部の保持を解除すると共に、折ブレード１１４ａが作動して折胴１０４の周面から外方に突出することで、ｎ枚数重ねられているシートＳを折胴１０４の周面から下方へ引き剥がす。一方、咥胴１０５では、咥え装置１１５ａが折胴１０４の周面から突出したシートＳの中間部を咥える。
【０１２７】
鋸胴１０３、折胴１０４、咥胴１０５が更に回転すると、図１０−４に示すように、咥胴１０５の咥え装置１１５ａがシートＳにおける長手方向（搬送方向）の中間部を咥えたまま、このシートＳを咥胴１０５の周面及び紙ガイド１０７にガイドされながら搬送されることで、折帖Ｆが形成される。
【０１２８】
また、このとき、鋸胴１０３の鋸刃１１１ａが折胴１０４の鋸刃受１１２ｃと対向して一致するとき、ｎ枚数重ねられたウェブＷが横裁断される。同時に、針装置１１３ｃが折胴１０４上に重ねられたｎ−１枚のウェブＷと共に新たな１枚のウェブＷを保持し、ｎ枚数のウェブＷを保持する。すると、折胴１０４の周面にて、針装置１１３ｂと針装置１１３ｃとの間で、先端部がこの針装置１１３ｂにより保持されたｎ枚数の束状のシートＳが形成される。
【０１２９】
そして、折胴１０４が回転し続けると、図１０−５に示すように、折ブレード１１４ｂが咥胴１０５の咥え装置１１５ｂと対向して一致するとき、針装置１１３ｂが作動して内方に戻すことで、ｎ枚数重ねられたシートＳの先端部の保持を解除すると共に、折ブレード１１４ｂが作動して折胴１０４の周面から外方に突出することで、ｎ枚数重ねられているシートＳを折胴１０４の周面から下方へ引き剥がす。一方、咥胴１０５では、咥え装置１１５ｂが折胴１０４の周面から突出したシートＳの中間部を咥える。その後、前述と同様に、咥胴１０５の咥え装置１１５ｂがシートＳにおける長手方向（搬送方向）の中間部を咥えたまま搬送することで、折帖Ｆが形成される。
【０１３０】
更に、図示しないが、鋸胴１０３の鋸刃１１１ａが折胴１０４の鋸刃受１１２ａと対向して一致するとき、ｎ枚数重ねられたウェブＷが横裁断される。同時に、針装置１１３ａが折胴１０４上に重ねられた新たな１枚のウェブＷを保持する。そして、折胴１０４が回転し続けると、折ブレード１１４ｃが咥胴１０５の咥え装置１１５ｃと対向して一致するとき、針装置１１３ｃが作動して内方に戻すことで、ｎ枚数重ねられたシートＳの先端部の保持を解除すると共に、折ブレード１１４ｃが作動して折胴１０４の周面から外方に突出することで、ｎ枚数重ねられているシートＳを折胴１０４の周面から下方へ引き剥がす。一方、咥胴１０５では、咥え装置１１５ｃが折胴１０４の周面から突出したシートＳの中間部を咥える。その後、咥胴１０５の咥え装置１１５ｃがシートＳにおける長手方向（搬送方向）の中間部を咥えたまま搬送することで、折帖Ｆが形成される。
【０１３１】
なお、折胴１０４の周面に重ねられたウェブＷは、図１１−３に示すように、鋸胴１０３により所定の長さに断裁されることで、３つの束状のシートＳ１，Ｓ２，Ｓ３となり、このシートＳ１，Ｓ２，Ｓ３は、図１１−４に示すように、折胴１０４及び咥胴１０５により横折されることで、束状の折帖Ｆ１，Ｆ２，Ｆ３となる。
【０１３２】
そして、折胴１０４及び咥胴１０５により横に２つ折りされた折帖Ｆは、搬送コンベア１０６により搬送され、チョッパ折装置により縦に２つ折りされることで、図１１−５に示すように、４つ折りされたブレード判の新聞が作成される。
【０１３３】
このように実施例４の折機１００にあっては、鋸胴１０３と折胴１０４と咥胴１０５とを設けて構成し、折胴１０４を巻取胴としてその周面にシートＳを予め設定された所定枚数だけ重ねる重ね部を設け、折胴１０４にウェブＷを所定枚数だけ重ねて巻き取り、鋸胴１０３により折胴１０４に重ねられたウェブＷを所定の長さのシートＳに断裁し、鋸胴１０３に断裁されて折胴１０４に折り畳まれたシートＳを折帖Ｆとしている。
【０１３４】
従って、ウェブＷが折胴１０４に搬送されるとき、折胴１０４にウェブＷを所定枚数だけ重ねてから鋸胴１０３により断裁してシートＳを形成し、その後、重ねられたシートＳが折胴１０４及び咥胴１０５により折り畳まれることとなり、連続して画像が印刷されたウェブＷを、異なる画像が重なるように折胴１０４の周面に重ね、断裁してからシートＳを折り畳むことで、印刷コストの低減を図ることができる。
【０１３５】
また、実施例４の折機１００では、鋸胴１０３を、鋸刃１１１ａ，１１１ｂがウェブＷを断裁可能な断裁位置と、鋸刃１１１ａ，１１１ｂがウェブＷから離間した待機位置に移動可能とし、折胴１０４に重ねられたウェブＷの枚数が所定枚数に到達したら、鋸胴１０３を待機位置から断裁位置に移動可能としている。従って、鋸胴１０３によるウェブＷの断裁動作を鋸刃１１１ａ，１１１ｂの出没によって行う必要がなくなり、構造及び制御の簡素化を可能とすることができる。
【０１３６】
また、実施例４の新聞の作成方法にあっては、ウェブＷに対して画像の幅方向がウェブＷの搬送方向となるように異なる画像を連続して印刷し、このウェブＷを折胴１０４の周面に画像が重なるように所定枚数だけ重ね、所定の位置で断裁して束状のシートＳを形成し、この束状のシートＳとを横折りしてから縦折りすることでブロード判の新聞を作成している。従って、ブロード判の新聞を印刷から折り畳みまで連続して行うことが可能となり、作業性の向上を図ることができる。
【実施例５】
【０１３７】
図１２は、本発明の実施例５に係る折機の要部を表す概略構成図、図１３−１及び図１３−２は、実施例５の折機の作動を表す概略図、図１４−１から図１４−３は、実施例５の折機によるタブロイド判新聞の作成方法を表す概略図である。なお、前述した実施例で説明したものと同様の機能を有する部材には同一の符号を付して重複する説明は省略する。
【０１３８】
実施例５の印刷機は、実施例４と同様に、バリアブル印刷機を用いて新聞を印刷する新聞印刷機であるが、タブロイド判の新聞を作成するものである。図１２に示すように、実施例５の折機１２０は、インクジェット式印刷機により表面及び裏面に印刷が施されたウェブＷを、所定の長さに断裁してシートＳを形成してから重ね合わせ、このシートＳが予め設定された枚数だけ重ね合わされたら、縦折りして所望の折帖Ｆを形成するものである。
【０１３９】
実施例５にて、折機１２０は、実施例４の折機１００（図８参照）における折胴１０４の下流側に断裁装置が設けられたものである。即ち、鋸胴１０３と折胴１０４が対向して配設され、折胴１０４に対向して咥胴１０５が配設されている。そして、折胴１０４の下流側に隣接して上搬送コンベア１２１と下搬送コンベア１２２が上下に対向して配設され、この上下の搬送コンベア１２１，１２２の基端部（折胴１０４）側、つまり、折胴１０４と下搬送コンベア１２２の間に紙剥しガイド１２３が設けられている。この紙剥しガイド１２３は、下搬送コンベア１２２のガイドローラを支点として上下に回動自在に支持されている。即ち、紙剥しガイド１２３は、先端部が折胴１０４の周面に接近することで、この折胴１０４に保持された束状のシートＳを周面から剥す剥し位置と、先端部が折胴１０４の周面から離間する待機位置に移動可能となっている。
【０１４０】
上下の搬送コンベア１２１，１２２の下流側に隣接して、断裁装置を構成する鋸胴１２４と鋸受胴１２５が上下に対向して配設されている。この鋸胴１２４は、２倍胴であって、その周面に周方向に均等間隔で、つまり、１８０度対向して鋸刃１２４ａ，１２４ｂが設けられている。一方、鋸受胴１２５も、２倍胴であって、その周面に周方向に均等間隔で、つまり、１８０度対向して鋸刃受１２５ａ，１２５ｂが設けられており、鋸刃１２４ａ，１２４ｂと鋸刃受１２５ａ，１２５ｂが互いに対向するように、その同期回転可能となっている。そのため、鋸胴１２４と鋸受胴１２５が同期回転し、鋸刃１２４ａ，１２４ｂと鋸刃受１２５ａ，１２５ｂが対向して一致するときに、束状のシートＳを横裁断し、所定長さのシートＳを形成することができる。
【０１４１】
また、この鋸胴１２４と鋸受胴１２５の下流側に隣接して上搬送コンベア１２６と下搬送コンベア１２７が上下に対向して配設されている。そして、この上下の搬送コンベア１２６，１２７の下流側に隣接して図示しないチョッパ折装置が設けられている。
【０１４２】
なお、鋸胴１０３、折胴１０４、咥胴１０５の構成は、上述した実施例４と同様であることから、説明は省略する。また、本実施例にて、折胴１０４の折ブレード１１４ａ，１１４ｂ，１１４ｃと、咥胴１０５（咥え装置１１５ａ，１１５ｂ，１１５ｃ）は、機能しない。
【０１４３】
このように構成された折機１２０を有する本実施例の印刷機では、印刷が施されたウェブＷを、折機１２０により重ねてから断裁し、その後に再び裁断してから折り畳むものである。即ち、図示しないインクジェット式印刷機は、搬送されるウェブＷに対して連続して異なる画像を印刷する。この場合、ウェブＷには、画像の幅方向がウェブＷの幅方向となるように画像が印刷されている。折機１２０は、印刷が施されたウェブＷを鋸胴１０３と折胴１０４との間に供給し、このウェブＷを折胴１０４の周面に重ねていき、折胴１０４の周面に重ねられたウェブＷが予め設定された所定枚数に到達したら、ウェブＷを２つの画像ごとで、且つ、所定の同じ長さに断裁する。その後、束状のシートＳを鋸胴１２４により画像ごとで、且つ、所定の同じ長さに断裁し、チョッパ折装置により折り畳んで折帖Ｆを形成する。
【０１４４】
ここで、実施例５の折機１２０の作動を詳細に説明する。
【０１４５】
本実施例にて、表面及び裏面に印刷が施されたウェブＷは、図１４−１に示すように、画像の幅方向がウェブＷの幅方向となるように異なる画像が連続して印刷されている。この場合、画像Ａ１は、画像Ａ１−１と画像Ａ１−２からなり、画像Ｂ１は、画像Ｂ１−１と画像Ｂ１−２からなり、画像Ｃ１は、画像Ｃ１−１と画像Ｃ１−２からなり、画像Ｄ１は、画像Ｄ１−１と画像Ｄ１−２からなり、この画像は、図示しないが、画像Ｅ、画像Ｆまである。そして、画像Ａ１と画像Ｂ１と画像Ｃ１と画像Ｄ１と画像Ｅと画像Ｆは、同じ画像である。そして、画像Ｆ１に続く画像Ａ２は、画像Ａ２−１と画像Ａ２−２からなり、画像Ａ１、画像Ｂ１、画像Ｃ１・・・画像Ｆ１と、画像Ａ２、画像Ｂ２、画像Ｃ２・・・画像Ｆ２とは異なる画像である。そして、この画像は、画像Ａｎ、画像Ｂｎ、と画像Ｃｎ・・・画像Ｆｎまで続く。
【０１４６】
このように表面及び裏面に印刷が施されたウェブＷは、図１３−１に示すように、折機１２０に搬送され、針装置１１３ａが作動して先端部を突き刺して保持され、この状態で、折胴１０４が回転すると、ウェブＷは折胴１０４の周面に巻き取られていく。このとき、鋸胴１０３は、断裁位置から待機位置へ移動する。また、ウェブＷが折胴１０４の周面に巻き取られていくとき、残りの針装置１１３ｂ，１１３ｃは作動しない。更に、紙剥しガイド１２３は、先端部が折胴１０４の周面から離間する待機位置に移動している。
【０１４７】
そして、ウェブＷが折胴１０４の周面に所定のｎ枚数より１枚少ないｎ−１枚数が重ねられると、針装置１１３ｂ，１１３ｃが作動してウェブＷを突き刺して保持する。鋸胴１０３は、折胴１０４の周面にｎ枚数のウェブＷが重ねられる前に、待機位置から断裁位置へ移動し、所定の位置で、ｎ−１枚数重ねられたウェブＷを横裁断する。同時に、針装置１１３ａがｎ枚数のウェブＷを保持する。
【０１４８】
続いて、鋸胴１０３及び折胴１０４が回転し、所定の位置で、鋸胴１０３がｎ枚数重ねられたウェブＷを横裁断すると同時に、針装置１１３ｂがｎ枚数のウェブＷを保持する。すると、折胴１０４の周面にて、針装置１１３ａと針装置１１３ｂとの間で、先端部がこの針装置１１３ａにより保持されたｎ枚数の束状のシートＳが形成される。
【０１４９】
折胴１０４が回転し続け、図１３−２に示すように、針装置１１３ａにより保持されたｎ枚数の束状のシートＳが咥胴１０５との対接位置にくる前に、紙剥しガイド１２３は、先端部が折胴１０４の周面に接近する剥し位置に移動する。そして、針装置１１３ａは、咥胴１０５との対接位置に至ると、ｎ枚数重ねられたシートＳの先端部の保持を解除すると、ｎ枚数重ねられているシートＳは、紙剥しガイド１２３により折胴１０４の周面から離脱し、下搬送コンベア１２２に送られる。
【０１５０】
折胴１０４から離脱した束状のシートＳは、上下の搬送コンベア１２１，１２２により搬送され、鋸胴１２４及び鋸受胴１２５により断裁され、上下の搬送コンベア１２６，１２７によりチョッパ折装置まで搬送され、このチョッパ折装置により縦折りされて折帖が形成される。
【０１５１】
なお、折胴１０４の周面にｎ枚数重ねられたウェブＷは、図１４-２に示すように、画像Ａ１〜Ａｎ、画像Ｂ１〜Ｂｎ、画像Ｃ１〜Ｃｎ・・・画像Ｆ１〜Ｆｎが重なった状態となる。そして、鋸胴１０３は、このウェブＷを、画像Ｂと画像Ｃとの間、画像Ｄと画像Ｅとの間、画像Ｆと次のウェブＷとの間で断裁する。そのため、折胴１０４から搬送された３つの束状のシートＳは、シートＳ１に画像Ａと画像Ｂがあり、シートＳ２に画像Ｃと画像Ｄがあり、シートＳ３に画像Ｅと画像Ｆがある。そして、鋸胴１２４は、このシートＳ１，Ｓ２，Ｓ３を、画像Ａと画像Ｂとの間、画像Ｃと画像Ｄとの間、画像Ｅと画像Ｆとの間で断裁することで、６つの束状のシートＳ１〜Ｓ６が形成される。
【０１５２】
そして、３つの束状のシートＳ１〜Ｓ６は、上下の搬送コンベア１２６，１２７により搬送され、チョッパ折装置により縦に２つ折りされることで、図１４−３に示すように、２つ折りされたタブロイド判の新聞が作成される。
【０１５３】
このように実施例５の折機１２０にあっては、鋸胴１０３と折胴１０４と鋸胴１２４とを設けて構成し、折胴１０４を巻取胴としてその周面にシートＳを予め設定された所定枚数だけ重ねる重ね部を設け、折胴１０４にウェブＷを所定枚数だけ重ねて巻き取り、鋸胴１０３により折胴１０４に重ねられたウェブＷを所定の長さのシートＳに断裁し、更に、鋸胴１２４によりこのシートＳを半分の長さに断裁し、チョッパ折装置により折り畳んで折帖Ｆを形成している。
【０１５４】
従って、ウェブＷが折胴１０４に搬送されるとき、折胴１０４にウェブＷを所定枚数だけ重ねてから鋸胴１０３により断裁してシートＳを形成し、その後、重ねられたシートＳを鋸胴１２４により断裁して半分の長さのシートＳを形成し、チョッパ折装置により折り畳まれることとなり、連続して画像が印刷されたウェブＷを、異なる画像が重なるように折胴１０４の周面に重ね、断裁してからシートＳを折り畳むことで、印刷コストの低減を図ることができる。
【０１５５】
また、実施例５の折機１２０では、実施例４で説明した折機１００に鋸胴１２４を追加するだけで、ブロード版の半分の大きさのタブロイド判の新聞を作成することができ、新聞作成コストの低減を図ることができると共に、装置の汎用性を向上することができる。
【０１５６】
また、実施例５の新聞の作成方法にあっては、ウェブＷに対して画像の幅方向がウェブＷの幅方向となるように異なる画像を連続して印刷し、このウェブＷを折胴１０４の周面に画像が重なるように所定枚数だけ重ね、所定の位置で断裁して束状シートＳを形成し、この束状のシートＳを縦折りすることでタブロイド判の新聞を作成している。従って、タブロイド判の新聞を印刷から折り畳みまで連続して行うことが可能となり、作業性の向上を図ることができる。
【実施例６】
【０１５７】
図１５は、本発明の実施例６に係る折機の要部を表す概略構成図である。なお、前述した実施例で説明したものと同様の機能を有する部材には同一の符号を付して重複する説明は省略する。
【０１５８】
実施例６の印刷機は、実施例５と同様に、バリアブル印刷機を用いて新聞を印刷する新聞印刷機であり、タブロイド判の新聞を作成するものである。図１５に示すように、実施例６の折機１３０は、インクジェット式印刷機により表面及び裏面に印刷が施されたウェブＷを、所定の長さに断裁してシートＳを形成してから重ね合わせ、このシートＳが予め設定された枚数だけ重ね合わされたら、縦折りして所望の折帖Ｆを形成するものである。
【０１５９】
実施例６にて、折機１３０は、実施例４の折機１００（図８参照）における鋸胴１０３に更に２つの鋸刃が設けられると共に、折胴１０４に更に３つの針装置が設けられたものである。即ち、本実施例では、鋸胴１３１と折胴１３２が対向して配設され、折胴１３２に対向して咥胴１０５が配設されている。
【０１６０】
この鋸胴１３１は、２倍胴であって、その周面に周方向に均等間隔で、つまり、９０度対向して鋸刃１１１ａ，１１１ｃ，１１１ｂ，１１１ｄが設けられている。一方、折胴１３２は、３倍胴であって、その周面に周方向に均等間隔で、つまり、６０度対向して鋸刃受１１２ａ，１１２ｄ，１１２ｂ，１１２ｅ，１１２ｃ，１１２ｆが設けられており、鋸刃１１１ａ，１１１ｃ，１１１ｂ，１１１ｄと鋸刃受１１２ａ，１１２ｄ，１１２ｂ，１１２ｅ，１１２ｃ，１１２ｆが互いに対向するように、その回転位相が一致している。そのため、鋸胴１３１と折胴１３２が同期回転し、鋸刃１１１ａ，１１１ｃ，１１１ｂ，１１１ｄと鋸刃受１１２ａ，１１２ｄ，１１２ｂ，１１２ｅ，１１２ｃ，１１２ｆが対向して一致するときに、ウェブＷを横裁断することができる。
【０１６１】
また、折胴１３２は、その周面に周方向に均等間隔で、つまり、６０度対向して針装置（保持部）１１３ａ，１１３ｄ，１１３ｂ，１１３ｅ，１１３ｃ，１１３ｆが、鋸刃受１１２ａ，１１２ｄ，１１２ｂ，１１２ｅ，１１２ｃ，１１２ｆより折胴１３２の回転方向における上流側に設けられている。この針装置１１３ａ，１１３ｄ，１１３ｂ，１１３ｅ，１１３ｃ，１１３ｆは、図示しない駆動モータまたはカムにより折胴１３２の回転に応じて作動するものであり、所定の位置で、針を外方に突出することで、ウェブＷの走行方向における先端部を保持することができ、所定の位置で、針を戻すことで、ウェブＷ（シートＳ）の先端部の保持を解除することができる。
【０１６２】
更に、鋸胴１３１は、鋸刃１１１ａ，１１１ｃ，１１１ｂ，１１１ｄがウェブＷを断裁可能な断裁位置と、鋸刃１１１ａ，１１１ｃ，１１１ｂ，１１１ｄがウェブＷから離間した待機位置とに移動可能であり、図示しない制御部は、折胴１３２に重ねられたウェブＷの枚数が所定枚数に到達したら、鋸胴１３１を待機位置から断裁位置に移動することができる。
【０１６３】
そして、折胴１３２の下流側に隣接して上搬送コンベア１２１と下搬送コンベア１２２が上下に対向して配設され、この上下の搬送コンベア１２１，１２２の基端部側、つまり、折胴１３２と下搬送コンベア１２２の間に紙剥しガイド１２３が設けられている。この紙剥しガイド１２３は、先端部が折胴１３２の周面に接近する剥し位置と、先端部が折胴１３２の周面から離間する待機位置とに移動可能となっている。また、上下の搬送コンベア１２１，１２２の下流側には、上搬送コンベア１２６と下搬送コンベア１２７が上下に対向して配設されている。そして、この上下の搬送コンベア１２６，１２７の下流側に隣接して図示しないチョッパ折装置が設けられている。
【０１６４】
このように構成された折機１３０を有する本実施例の印刷機では、印刷が施されたウェブＷを、折機１３０により重ねてから断裁して折り畳むものである。即ち、図示しないインクジェット式印刷機は、搬送されるウェブＷに対して連続して異なる画像を印刷する。この場合、ウェブＷには、画像の幅方向がウェブＷの幅方向となるように画像が印刷されている。折機１３０は、印刷が施されたウェブＷを鋸胴１３１と折胴１３２との間に供給し、このウェブＷを折胴１３２の周面に重ねていき、折胴１３２の周面に重ねられたウェブＷが予め設定された所定枚数に到達したら、ウェブＷを画像ごとで、且つ、所定の同じ長さに断裁する。その後、束状のシートＳをチョッパ折装置により折り畳んで折帖Ｆを形成する。
【０１６５】
ここで、実施例６の折機１３０の作動を詳細に説明する。
【０１６６】
本実施例にて、表面及び裏面に印刷が施されたウェブＷは、画像の幅方向がウェブＷの幅方向となるように異なる画像が連続して印刷されている。このように表面及び裏面に印刷が施されたウェブＷは、折機１３０に搬送され、針装置１１３ａが作動して先端部を突き刺して保持され、この状態で、折胴１３２が回転すると、ウェブＷは折胴１３２の周面に巻き取られていく。このとき、鋸胴１３１は、断裁位置から待機位置へ移動する。また、ウェブＷが折胴１３２の周面に巻き取られていくとき、残りの針装置１１３ｄ，１１３ｂ，１１３ｅ，１１３ｃ，１１３ｆは作動しない。更に、紙剥しガイド１２３は、先端部が折胴１３２の周面から離間する待機位置に移動している。
【０１６７】
そして、ウェブＷが折胴１３２の周面に所定のｎ枚数より１枚少ないｎ−１枚数が重ねられると、針装置１１３ｄ，１１３ｂ，１１３ｅ，１１３ｃ，１１３ｆが順に作動してウェブＷを突き刺して保持していく。鋸胴１３１は、折胴１３２の周面にｎ枚数のウェブＷが重ねられる前に、待機位置から断裁位置へ移動し、所定の位置で、ｎ−１枚数重ねられたウェブＷを横裁断する。同時に、針装置１１３ａがｎ枚数のウェブＷを保持する。
【０１６８】
続いて、鋸胴１３１及び折胴１３２が回転し、所定の位置で、鋸胴１３１がｎ枚数重ねられたウェブＷを横裁断すると同時に、針装置１１３ｄがｎ枚数のウェブＷを保持する。すると、折胴１３２の周面にて、針装置１１３ａと針装置１１３ｄとの間で、先端部がこの針装置１１３ａにより保持されたｎ枚数の束状のシートＳが形成される。
【０１６９】
折胴１３２が回転し続け、針装置１１３ａにより保持されたｎ枚数の束状のシートＳが咥胴１０５との対接位置にくる前に、紙剥しガイド１２３は、先端部が折胴１３２の周面に接近する剥し位置に移動する。そして、針装置１１３ａは、咥胴１０５との対接位置に至ると、ｎ枚数重ねられたシートＳの先端部の保持を解除すると、ｎ枚数重ねられているシートＳは、紙剥しガイド１２３により折胴１３２の周面から離脱し、下搬送コンベア１２２に送られる。
【０１７０】
折胴１３２から離脱した束状のシートＳは、上下の搬送コンベア１２１，１２２，１２６，１２７によりチョッパ折装置まで搬送され、このチョッパ折装置により縦折りされて折帖Ｆが形成される。即ち、このチョッパ折装置により縦に２つ折りされることで、２つ折りされたタブロイド判の新聞が作成される。
【０１７１】
このように実施例６の折機１３０にあっては、鋸胴１３１と折胴１３２とを設けて構成し、折胴１３２を巻取胴としてその周面にシートＳを予め設定された所定枚数だけ重ねる重ね部を設け、折胴１３２にウェブＷを所定枚数だけ重ねて巻き取り、鋸胴１３１により折胴１３２に重ねられたウェブＷを所定の長さのシートＳに断裁し、チョッパ折装置により折り畳んで折帖Ｆを形成している。
【０１７２】
従って、ウェブＷが折胴１３２に搬送されるとき、折胴１３２にウェブＷを所定枚数だけ重ねてから鋸胴１３１により断裁してシートＳを形成し、その後、重ねられたシートＳがチョッパ折装置により折り畳まれることとなり、連続して画像が印刷されたウェブＷを、異なる画像が重なるように折胴１３２の周面に重ね、断裁してからシートＳを折り畳むことで、印刷コストの低減を図ることができる。
【０１７３】
また、実施例６の折機１３０では、実施例４で説明した折機１００にて、鋸胴１０３に所定数の鋸刃１１１ｃ，１１１ｄを追加し、また、折胴１０４に所定数の鋸刃受１１２ｄ，１１２ｅ，１１２ｆ、針装置１１３ｄ，１１３ｅ，１１３ｆを追加するだけで、ブロード版の半分の大きさのタブロイド判の新聞を作成することができ、新聞作成コストの低減を図ることができると共に、装置の汎用性を向上することができる。
【０１７４】
また、実施例６の新聞の作成方法にあっては、ウェブＷに対して画像の幅方向がウェブＷの幅方向となるように異なる画像を連続して印刷し、このウェブＷを折胴１３２の周面に画像が重なるように所定枚数だけ重ね、所定の位置で断裁して束状のシートＳを形成し、この束状のシートＳを縦折りすることでタブロイド判の新聞を作成している。従って、タブロイド判の新聞を印刷から折り畳みまで連続して行うことが可能となり、作業性の向上を図ることができる。
【０１７５】
なお、上述した各実施例では、本発明の巻取胴を折胴とし、断裁装置を鋸胴としたが、この構成に限定されるものではない。即ち、巻取胴として折胴と別の胴を設けてもよく、断裁装置としてウェブの幅よりやや広い幅の断裁刃を移動可能に設けてもよい。更に、本発明の折畳装置として、折込ローラ、折胴及び咥え装置、チョッパ折装置を組み合わせて用いたが、この組み合わせに限るものではない。
【０１７６】
また、上述した各実施例では、巻取胴（折胴）に重ねられたシートまたはウェブの枚数を検出する重ね枚数検出部（ロータリエンコーダ）を設け、制御部は、巻取胴に重ねられたシートの枚数が所定枚数に到達したら、保持した複数のシートを解除して折り畳むように構成している。この場合、保持部は、針装置に限らず、例えば、グリッパなどであってもよく、重ね枚数検出部は、ロータリエンコーダに限らず、巻取胴（折胴）の回転数を数えるカウンタ、巻取胴（折胴）の周面に重ねられたシートやウェブの枚数を数えるカウンタなどであってもよい。
【産業上の利用可能性】
【０１７７】
本発明に係る折機及び印刷方法及び印刷機は、巻取胴に印刷済のウェブまたはシートを所定枚数だけ重ねることを可能とすることで、連続して異なる画像が印刷されたウェブを重ねると共に断裁してから折り畳み可能として印刷コストの低減を図るものであり、いずれの折機及び印刷方法及び印刷機にも適用することができる。
【符号の説明】
【０１７８】
１１  給紙部
１２  表面印刷ユニット
１３  裏面印刷ユニット
１４，６０，１００，１２０，１３０  折機
１５  排紙部
２３，６３，１０３，１３１  鋸胴（断裁手段）
２４，６４，１０４，１３２  折胴（巻取胴、重ね部、保持部、折畳手段）
２５  折込ローラ（折畳手段）
２７  羽根車
２８  排紙コンベア
３１ａ，３１ｂ，７１ａ，７１ｂ，１１１ａ，１１１ｂ  鋸刃
３４ａ，３４ｂ，７３ａ，７３ｂ，１１３ａ，１１３ｂ，１１３ｃ  針装置（保持部）
３８ａ，３８ｂ，７４ａ，７４ｂ  駆動モータ
３９ａ，３９ｂ，７５ａ，７５ｂ，１１４ａ，１１４ｂ，１１４ｃ  折ブレード
４１ａ，４１ｂ  駆動モータ
４２  ロータリエンコーダ（重ね枚数検出部）
４３  制御部
５１ａ，５１ｂ  エアシリンダ
６５，１０５  咥胴
６６  チョッパ折装置（折畳手段）
７６ａ，７６ｂ  エアシリンダ
７８ａ，７８ｂ，１１５ａ，１１５ｂ，１１５ｃ  咥え装置
１２３  紙剥しガイド
Ｗ  ウェブ
Ｓ  シート
Ｆ  折帖
【図１】
0005476437.tif 000002
【図２】
0005476437.tif 000003
【図３−１】
0005476437.tif 000004
【図３−２】
0005476437.tif 000005
【図３−３】
0005476437.tif 000006
【図４】
0005476437.tif 000007
【図５】
0005476437.tif 000008
【図６−１】
0005476437.tif 000009
【図６−２】
0005476437.tif 000010
【図６−３】
0005476437.tif 000011
【図７】
0005476437.tif 000012
【図８】
0005476437.tif 000013
【図９−１】
0005476437.tif 000014
【図９−２】
0005476437.tif 000015
【図９−３】
0005476437.tif 000016
【図９−４】
0005476437.tif 000017
【図９−５】
0005476437.tif 000018
【図９−６】
0005476437.tif 000019
【図１０−１】
0005476437.tif 000020
【図１０−２】
0005476437.tif 000021
【図１０−３】
0005476437.tif 000022
【図１０−４】
0005476437.tif 000023
【図１０−５】
0005476437.tif 000024
【図１１−１】
0005476437.tif 000025
【図１１−２】
0005476437.tif 000026
【図１１−３】
0005476437.tif 000027
【図１１−４】
0005476437.tif 000028
【図１１−５】
0005476437.tif 000029
【図１２】
0005476437.tif 000030
【図１３−１】
0005476437.tif 000031
【図１３−２】
0005476437.tif 000032
【図１４−１】
0005476437.tif 000033
【図１４−２】
0005476437.tif 000034
【図１４−３】
0005476437.tif 000035
【図１５】
0005476437.tif 000036